(57)【特許請求の範囲】
【請求項１】
ターゲットネットワークへのハンドオーバ中に、遠隔ネットワーク・ノードからダウンリンク（ＤＬ）非アクセス層（ＮＡＳ）カウントの一部を受信することと、
前記ＤＬ ＮＡＳカウントの前記一部、および、局所的に記憶されたＤＬ ＮＡＳカウントに少なくとも一部分基づいて、導出されたＤＬ ＮＡＳカウントを生成することと、
前記導出されたＤＬ ＮＡＳカウントに少なくとも一部分基づいて前記ターゲットネットワークのための１つ以上のセキュリティ・キーを生成することと
を備え、
前記導出されたＤＬ ＮＡＳカウントを前記生成することは、前記ＤＬ ＮＡＳカウントの前記一部と、前記局所的に記憶されたＤＬ ＮＡＳカウントの類似した一部との間のしきい値最大下差異に関連する少なくとも１つのパラメータに、さらに少なくとも一部分基づく、
無線通信の方法。
【請求項２】
前記遠隔ネットワーク・ノードと通信することに関連する１つ以上の通信メトリックに少なくとも一部分基づいて前記少なくとも１つのパラメータを決定することをさらに備える、請求項１に記載の方法。
【請求項３】
前記少なくとも１つのパラメータを前記決定することは、時間間隔にわたって前記遠隔ネットワーク・ノードから受信されたＮＡＳメッセージの数を決定することを備える、請求項２に記載の方法。
【請求項４】
ターゲットネットワークへのハンドオーバ中に、遠隔ネットワーク・ノードからダウンリンク（ＤＬ）非アクセス層（ＮＡＳ）カウントの一部を得る、
前記ＤＬ ＮＡＳカウントの前記一部、および、局所的に記憶されたＤＬ ＮＡＳカウントに少なくとも一部分基づいて、導出されたＤＬ ＮＡＳカウントを生成する、
前記導出されたＤＬ ＮＡＳカウントに少なくとも一部分基づいて前記ターゲットネットワークのための１つ以上のセキュリティ・キーを作成する
ように構成される少なくとも１つのプロセッサと、
前記少なくとも１つのプロセッサに結合されるメモリと
を備え、
前記少なくとも１つのプロセッサは、前記ＤＬ ＮＡＳカウントの前記一部と、前記局所的に記憶されたＤＬ ＮＡＳカウントの類似した一部との間のしきい値最大下差異に関連するパラメータに、さらに少なくとも一部分基づいて前記導出されたＤＬ ＮＡＳカウントを生成する、
メッセージ・カウントを導出するための装置。
【請求項５】
前記少なくとも１つのプロセッサは、前記遠隔ネットワーク・ノードと通信することに関連する１つ以上の通信メトリックに少なくとも一部分基づいて前記パラメータを決定するようにさらに構成される、請求項４に記載の装置。
【請求項６】
前記パラメータは、時間間隔にわたって前記遠隔ネットワーク・ノードから受信されたＮＡＳメッセージの数に関連する、請求項５に記載の装置。
【請求項７】
ターゲットネットワークへのハンドオーバ中に、遠隔ネットワーク・ノードからダウンリンク（ＤＬ）非アクセス層（ＮＡＳ）カウントの一部を受信するための手段と、
前記ＤＬ ＮＡＳカウントの前記一部、および、局所的に記憶されたＤＬ ＮＡＳカウントに少なくとも一部分基づいて、導出されたＤＬ ＮＡＳカウントを生成するための手段と、
前記導出されたＤＬ ＮＡＳカウントに少なくとも一部分基づいて前記ターゲットネットワークのための１つ以上のセキュリティ・キーを生成するための手段と
を備え、
前記生成するための手段は、前記ＤＬ ＮＡＳカウントの前記一部と、前記局所的に記憶されたＤＬ ＮＡＳカウントの類似した一部との間のしきい値最大下差異に関連するパラメータにさらに少なくとも一部分基づいて前記導出されたＤＬ ＮＡＳカウント生成する、
メッセージ・カウントを導出するための装置。
【請求項８】
前記遠隔ネットワーク・ノードに関連する１つ以上の通信メトリックに少なくとも一部分基づいて前記パラメータを決定するための手段をさらに備える、請求項７に記載の装置。
【請求項９】
前記決定するための手段は、時間間隔にわたって前記遠隔ネットワーク・ノードから受信されたＮＡＳメッセージの数を決定することに少なくとも一部分基づいて前記パラメータを決定する、請求項８に記載の装置。
【請求項１０】
少なくとも１つのコンピュータに、ターゲットネットワークへのハンドオーバ中に、遠隔ネットワーク・ノードからダウンリンク（ＤＬ）非アクセス層（ＮＡＳ）カウントの一部を得させるためのコードと、
前記少なくとも１つのコンピュータに、前記ＤＬ ＮＡＳカウントの前記一部、および、局所的に記憶されたＤＬ ＮＡＳカウントに少なくとも一部分基づいて、導出されたＤＬ ＮＡＳカウントを生成させるためのコードと、
前記少なくとも１つのコンピュータに、前記導出されたＤＬ ＮＡＳカウントに少なくとも一部分基づいて前記ターゲットネットワークのための１つ以上のセキュリティ・キーを作成させるためのコード
を備え、
前記少なくとも１つのコンピュータに生成させるための前記コードは、前記ＤＬ ＮＡＳカウントの前記一部と、前記局所的に記憶されたＤＬ ＮＡＳカウントの類似した一部との間のしきい値最大下差異に関連するパラメータにさらに少なくとも一部分基づいて前記導出されたＤＬ ＮＡＳカウントを生成する、
メッセージ・カウントを導出するためのコンピュータ可読記憶媒体。
【請求項１１】
前記コンピュータ可読記憶媒体は、前記少なくとも１つのコンピュータに、前記遠隔ネットワーク・ノードと通信することに関連する１つ以上の通信メトリックに少なくとも一部分基づいて前記パラメータを決定させるためのコードをさらに備える、請求項１０に記載のコンピュータ可読記憶媒体。
【請求項１２】
前記パラメータは、時間間隔にわたって前記遠隔ネットワーク・ノードから受信されたＮＡＳメッセージの数に関連する、請求項１１に記載のコンピュータ可読記憶媒体。
【請求項１３】
ターゲットネットワークへのハンドオーバ中に、遠隔ネットワーク・ノードからＤＬ ＮＡＳカウントの一部を得るための、最下位ビット（ＬＳＢ）のダウンリンク（ＤＬ）非アクセス層（ＮＡＳ）カウント受信プロセッサと、
前記ＤＬ ＮＡＳカウントの前記一部、および、局所的に記憶されたＤＬ ＮＡＳカウントに少なくとも一部分基づいて、導出されたＤＬ ＮＡＳカウントを生成するためのＤＬ ＮＡＳカウント導出プロセッサと、
前記導出されたＤＬ ＮＡＳカウントに少なくとも一部分基づいて前記ターゲットネットワークのための１つ以上のセキュリティ・キーを作成するための、ユニバーサル・モバイル通信システム（ＵＭＴＳ）のセキュリティ・キー生成コンポーネントと
を備え、
前記ＤＬ ＮＡＳカウント導出プロセッサは、前記ＤＬ ＮＡＳカウントの前記一部と、前記局所的に記憶されたＤＬ ＮＡＳカウントの類似した一部との間のしきい値最大下差異に関連するパラメータにさらに少なくとも一部分基づいて前記導出されたＤＬ ＮＡＳカウント生成する、
メッセージ・カウントを導出するための装置。
【請求項１４】
前記遠隔ネットワーク・ノードに関連する１つ以上の通信メトリックに少なくとも一部分基づいて前記パラメータを決定するためのしきい値パラメータ決定コンポーネントをさらに備える、請求項１３に記載の装置。
【請求項１５】
前記しきい値パラメータ決定コンポーネントは、時間間隔にわたって前記遠隔ネットワーク・ノードから受信されたＮＡＳメッセージの数を決定することに少なくとも一部分基づいて前記パラメータを決定する、請求項１４に記載の装置。
【請求項１６】
前記導出されたＤＬ ＮＡＳカウントを生成することとは、
式（Ｙ２−Ｃ）ｍｏｄ１６にしたがって値Ｙ’を計算することと、ここにおいて、Ｙ２は前記局所的に記憶されたＤＬ ＮＡＳカウントの最下位ビット（ＬＳＢs）の規定された数に対応し、Ｃは前記少なくとも１つのパラメータに対応する、
Ｙ’をＹ２と比較することと、
をさらに備える、請求項１に記載の方法。
【請求項１７】
前記導出されたＤＬ ＮＡＳカウントを生成することとは、Ｙ２をＺと比較することをさらに備え、Ｚは前記遠隔ネットワーク・ノードから受信された前記ＤＬ ＮＡＳカウントのＬＳＢの前記規定された数に対応する、請求項１６に記載の方法。
【請求項１８】
前記少なくとも１つのプロセッサはさらに、
式（Ｙ２−Ｃ）ｍｏｄ１６にしたがって値Ｙ’を計算し、Ｙ２は前記局所的に記憶されたＤＬ ＮＡＳカウントの最下位ビット（ＬＳＢｓ）の規定された数に対応し、Ｃは前記少なくとも１つのパラメータに対応し、
Ｙ’をＹ２と比較する、
ことによって、前記導出されたＤＬ ＮＡＳカウントを生成する、
請求項４に記載の装置。
【請求項１９】
前記少なくとも１つのプロセッサはさらに、Ｙ２をＺと比較することによって、前記導出されたＤＬ ＮＡＳカウントを生成し、Ｚは前記遠隔ネットワーク・ノードから受信された前記ＤＬ ＮＡＳカウントのＬＳＢの前記規定された数に対応する、請求項１８に記載の装置。
【請求項２０】
前記生成するための手段はさらに、
式（Ｙ２−Ｃ）ｍｏｄ１６にしたがって値Ｙ’を計算し、Ｙ２は前記局所的に記憶されたＤＬ ＮＡＳカウントの最下位ビット（ＬＳＢｓ）の規定された数に対応し、Ｃは前記少なくとも１つのパラメータに対応し、
Ｙ’をＹ２と比較する、
ことによって、前記導出されたＤＬ ＮＡＳカウントを生成する、
請求項７に記載の装置。
【請求項２１】
前記生成するための手段はさらに、Ｙ２をＺと比較することによって、前記導出されたＤＬ ＮＡＳカウントを生成し、Ｚは前記遠隔ネットワーク・ノードから受信された前記ＤＬ ＮＡＳカウントのＬＳＢの前記規定された数に対応する、請求項２０に記載の装置。
【請求項２２】
前記少なくとも１つのコンピュータに生成させるためのコードはさらに、
式（Ｙ２−Ｃ）ｍｏｄ１６にしたがって値Ｙ’を計算し、Ｙ２は前記局所的に記憶されたＤＬ ＮＡＳカウントの最下位ビット（ＬＳＢｓ）の規定された数に対応し、Ｃは前記少なくとも１つのパラメータに対応し、
Ｙ’をＹ２と比較する、
ことによって、前記導出されたＤＬ ＮＡＳカウントを生成する、
請求項１０に記載のコンピュータ可読記憶媒体。
【請求項２３】
前記少なくとも１つのコンピュータに生成させるためのコードはさらに、Ｙ２をＺと比較することによって、前記導出されたＤＬ ＮＡＳカウントを生成し、Ｚは前記遠隔ネットワーク・ノードから受信された前記ＤＬ ＮＡＳカウントのＬＳＢの前記規定された数に対応する、請求項２２に記載のコンピュータ可読記憶媒体。
【発明の詳細な説明】
【技術分野】
【０００１】
[0001]    以下の説明は、一般に無線通信に関し、より具体的には、無線ネットワーク間のハンドオーバを容易にすることに関する。
【背景技術】
【０００２】
[0002]    無線通信システムは、例えば、音声、データ、等のような、様々なタイプの通信コンテンツを提供するように、幅広く展開されている。典型的な無線通信システムは、利用可能なシステム・リソース（例えば、帯域幅、送信電力、．．．）を共有することにより、複数のユーザとの通信をサポートすることが可能な多元接続システムであり得る。そのような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同等のものを含み得る。さらに、このシステムは、第三世代パートナーシップ・プロジェクト（３ＧＰＰ）、３ＧＰＰロング・ターム・エボリューション（ＬＴＥ）、ウルトラ・モバイル・ブロードバンド（ＵＭＢ）、エボリューション・データ最適化（ＥＶ−ＤＯ：evolution data optimized）、等のような仕様に準拠することができる。
【０００３】
[0003]    一般に、無線多元接続通信システムは、複数のモバイル・デバイスのための通信を同時にサポートし得る。各モバイル・デバイスは、順方向リンクおよび逆方向リンク上の送信を介して、１つ以上の基地局と通信し得る。順方向リンク（またはダウンリンク）は、基地局からモバイル・デバイスへの通信リンクを指し、逆方向リンク（またはアップリンク）は、モバイル・デバイスから基地局への通信リンクを指す。さらに、モバイル・デバイスと基地局との間の通信は、単一入力単一出力（ＳＩＳＯ）システム、多入力単一出力（ＭＩＳＯ）システム、多入力多出力（ＭＩＭＯ）システム等により確立され得る。また、モバイル・デバイスは、ピア・ツー・ピア無線ネットワーク構成において他のモバイル・デバイスと（および／または基地局は別の基地局と）通信することができる。
【０００４】
[0004]    さらに、例えば、デバイスは、カバレッジ・エリア全域にわたって移動することができ、シームレスな無線ネットワーク・アクセスを提供するために、通信を１つの基地局から（例えば、他の基地局の通信メトリックがより望ましい）別の基地局へハンドオーバすることができる。一例において、デバイスは、ＬＴＥのような、発展型ユニバーサル・モバイル通信システム（ＵＭＴＳ：evolved universal mobile telecommunications system）、地上無線アクセス・ネットワーク（Ｅ−ＵＴＲＡＮ）で基地局と通信することができ、パケット交換（ＰＳ）または回線交換（ＣＳ）ＵＭＴＳ無線アクセス・ネットワーク（ＵＴＲＡＮ）で基地局へハンドオーバすることができる。ハンドオーバ中、Ｅ−ＵＴＲＡＮコア・ネットワークは、ＵＴＲＡＮネットワークにおいてデバイスのためのセキュリティ・キーを構成することができる。
【発明の概要】
【０００５】
[0005]    以下は、１つ以上の態様の簡略化された概要を、そのような態様の基本的な理解を提供するために示している。この概要は、考えられる全ての態様の広範な概観でもなければ、全ての態様のキーまたは重要な要素を特定するものでもなく、任意のまたは全ての態様の範囲を叙述することも意図されていない。その唯一の目的は、後に示されるより詳細な説明に対する前置きとして、簡略化された形態で１つ以上の態様のうちのいくつかの概念を示すことである。
【０００６】
[0006]    １つ以上の実施形態およびその対応する開示に従って、様々な態様は、遠隔ネットワークから受信されたメッセージ・カウントの一部およびローカル・メッセージ・カウント（local message count）に少なくとも一部分基づいて遠隔ネットワーク・コンポーネントによって利用されるメッセージ・カウントを導出する（deriving）ことに関連して説明される。例えば、メッセージ・カウントの最下位ビット（ＬＳＢｓ：least significant bits）の数（a number of least significant bits (LSBs) of the message count）は、遠隔ネットワーク・ノードから受信されることができ、メッセージ・カウントは、遠隔ネットワーク・ノードから受信されたＬＳＢｓとともに、ローカル・メッセージ・カウントの残りのビットを利用することによって少なくとも一部分導出されることができる。ローカル・メッセージ・カウントの残りのビットは、遠隔ネットワーク・ノードから受信されたメッセージ・カウントのＬＳＢｓと、ローカル・メッセージ・カウントの対応ビットとの間のしきい値最大下差異（threshold maximum lower difference）に少なくとも一部分基づいて、導出されたメッセージ・カウントを生成するために修正されることができる。
【０００７】
[0007]    一例に従って、無線通信の方法が提供されており、それはターゲットネットワークへのハンドオーバ中に、遠隔ネットワーク・ノードからダウンリンク（ＤＬ）非アクセス層（ＮＡＳ：non-access stratum）カウントの一部を受信することと、遠隔ネットワーク・ノードから受信されたＤＬ ＮＡＳカウントの一部および局所的に記憶されたＤＬ ＮＡＳカウントに少なくとも一部分基づいて、導出されたＤＬ ＮＡＳカウントを生成することとを含む。本方法は、導出されたＤＬ ＮＡＳカウントに少なくとも一部分基づいてターゲットネットワークのための１つ以上のセキュリティ・キーを生成することをさらに含む。
【０００８】
[0008]    別の態様において、メッセージ・カウントを導出するための装置が提供されており、それはターゲットネットワークへのハンドオーバ中に、遠隔ネットワーク・ノードからＤＬ ＮＡＳカウントの一部を得る、および遠隔ネットワーク・ノードから受信されたＤＬ ＮＡＳカウントの一部および局所的に記憶されたＤＬ ＮＡＳカウントに少なくとも一部分基づいて、導出されたＤＬ ＮＡＳカウントを生成するように構成される少なくとも１つのプロセッサを含む。少なくとも１つのプロセッサは、導出されたＤＬ ＮＡＳカウントに少なくとも一部分基づいてターゲットネットワークのための１つ以上のセキュリティ・キーを生成するようにさらに構成される。無線通信装置は、また、少なくとも１つのプロセッサに結合されるメモリを含む。
【０００９】
[0009]    別の態様において、メッセージ・カウントを導出するための装置が提供されており、それはターゲットネットワークへのハンドオーバ中に、遠隔ネットワーク・ノードからＤＬ ＮＡＳカウントの一部を受信するための手段と、遠隔ネットワーク・ノードから受信されたＤＬ ＮＡＳカウントの一部および局所的に記憶されたＤＬ ＮＡＳカウントに少なくとも一部分基づいて、導出されたＤＬ ＮＡＳカウントを生成するための手段とを含む。本装置は、導出されたＤＬ ＮＡＳカウントに少なくとも一部分基づいてターゲットネットワークのための１つ以上のセキュリティ・キーを生成するための手段をさらに含む。
【００１０】
[0010]    さらなる態様において、少なくとも１つのコンピュータに、ターゲットネットワークへのハンドオーバ中に、遠隔ネットワーク・ノードからＤＬ ＮＡＳカウントの一部を得させるためのコードを有するコンピュータ可読媒体を含むコンピュータ・プログラム製品は、メッセージ・カウントを導出するために提供される。コンピュータ可読媒体は、少なくとも１つのコンピュータに、遠隔ネットワーク・ノードから受信されたＤＬ ＮＡＳカウントの一部および局所的に記憶されたＤＬ ＮＡＳカウントに少なくとも一部分基づいて、導出されたＤＬ ＮＡＳカウントを生成させるためのコードと、少なくとも１つのコンピュータに、導出されたＤＬ ＮＡＳカウントに少なくとも一部分基づいてターゲットネットワークのための１つ以上のセキュリティ・キーを作成させるためのコードとをさらに含む。
【００１１】
[0011]    さらに別の態様において、メッセージ・カウントを導出するための装置が提供されており、それはターゲットネットワークへのハンドオーバ中に、遠隔ネットワーク・ノードからＤＬ ＮＡＳの一部を得るための、最下位ビット（ＬＳＢ）のＤＬ ＮＡＳカウント受信コンポーネント（a least significant bit (LSB) DL NAS count receiving component）を含む。本装置は、ＤＬ ＮＡＳカウントの一部および局所的に記憶されたＤＬ ＮＡＳカウントに少なくとも一部分基づいて、導出されたＤＬ ＮＡＳカウントを生成するためのＤＬ ＮＡＳカウント導出コンポーネント（a DL NAS count deriving component）と、導出されたＤＬ ＮＡＳカウントに少なくとも一部分基づいてターゲットネットワークのための１つ以上のセキュリティ・キーを作成するための、ユニバーサル・モバイル通信システム（ＵＭＴＳ）のセキュリティ・キー生成コンポーネント（a universal mobile telecommunications system (UMTS) security key generating component）をさらに含む。
【００１２】
[0012]    前述した目的および関連した目的の達成のために、１つ以上の態様は、以下で十分に説明され、特許請求の範囲において特に指摘された特徴を備える。以下の説明および添付されている図面で、１つ以上の態様のある特定の例示的な特徴を詳細に述べている。しかしながら、これらの特徴は、様々な態様の原理が使用され得る様々な方法のうちの極く一部しか示しておらず、本説明は、そのような態様およびそれらの同等物の全てを含むことが意図されている。
【図面の簡単な説明】
【００１３】
[0013]    開示された態様は、以下において、同一符号が同一要素を示す添付図面と連携して説明され、開示された態様を限定することなく例示するために提供される。
【００１４】
[0014]  
【図１】図１は、メッセージ・カウントを導出するためのシステム例を例示する。
【００１５】
[0015]  
【図２】図２は、異なるタイプのネットワーク間のデバイス通信のハンドオーバを実行するためのシステム例を例示する。
【００１６】
[0016]  
【図３】図３は、ダウンリンク（ＤＬ）非アクセス層（ＮＡＳ）カウントを導出するためのシステム例を例示する。
【００１７】
[0017]  
【図４】図４は、ＤＬ ＮＡＳカウントを導出するための処理の態様を例示する。
【００１８】
[0018]  
【図５】図５は、ＤＬ ＮＡＳカウントを導出することにおいて利用するためのパラメータを生成するシステム例を例示する。
【００１９】
[0019]  
【図６】図６は、導出されたＤＬ ＮＡＳカウントからセキュリティ・キーを生成する方法例を例示する。
【００２０】
[0020]  
【図７】図７は、導出されたＤＬ ＮＡＳカウントを生成する方法例を例示する。
【００２１】
[0021]  
【図８】図８は、受信されたＤＬ ＮＡＳカウントの一部および局所的に記憶されたＤＬ ＮＡＳカウントからＤＬ ＮＡＳカウントを導出することを容易にするモバイル・デバイス例を例示する。
【００２２】
[0022]  
【図９】図９は、ＤＬ ＮＡＳカウントを導出するためのシステム例を例示する。
【００２３】
[0023]  
【図１０】図１０は、ここで説明される様々な態様に従った無線通信システムの例を例示する。
【００２４】
[0024]  
【図１１】図１１は、ここで説明される様々なシステムおよび方法とともに使用されることができる無線ネットワーク環境の例を例示する。
【詳細な説明】
【００２５】
[0025]    様々な態様は、図面を参照して説明される。以下の記述において、説明の目的のために、１つ以上の態様の十分な理解を提供するために、多数の特定の詳細が述べられる。しかし、そのような（単数または複数の）態様は、これらの特定の詳細がなくても実施され得ることは明らかである。
【００２６】
[0026]    ここで説明されるように、１つ以上の機能において遠隔ネットワーク・ノードによって使用されるメッセージ・カウントは、無線デバイスのローカル・メッセージ・カウントおよびメッセージ・カウントの最下位ビット（ＬＳＢｓ）の受信された数（a received number of least significant bits (LSBs) of the message count）に少なくとも一部分基づいて無線デバイスによって導出されることができる。例えば、ローカル・メッセージ・カウントのＬＳＢｓ以外のビットは、遠隔ネットワーク・ノードによって使用されるメッセージ・カウントを導出するために利用されることができると同時に、導出されたメッセージ・カウントのＬＳＢｓが遠隔ネットワーク・ノードから受信されたそれらに対応することができる。さらに、ＬＳＢｓ以外の導出されたメッセージ・カウントのビットは、遠隔ネットワーク・ノードから受信されたメッセージ・カウントのＬＳＢｓと、ローカル・メッセージ・カウントの類似したＬＳＢｓとの間のしきい値最大下差異に少なくとも一部分基づいてローカル・メッセージ・カウントから修正されることができる。例えば、ビットを修正することは、ローカルＤＬ ＮＡＳカウントがＬＳＢｓ容量（capacity of the LSBs）を超えてラップされた（wrapped）ケースに対処することができる。
【００２７】
[0027]    メッセージ・カウントは、ダウンリンク（ＤＬ）非アクセス層（ＮＡＳ）カウントに関連することができる。遠隔ネットワーク・ノードは、デバイスをＵＭＴＳネットワークにハンドオーバするために、ＤＬ ＮＡＳカウントからＵＭＴＳセキュリティ・キーを生成する発展型パケット・コア（ＥＰＣ：evolved packet core）ネットワーク・コンポーネント（an evolved packet core (EPC) network component）であることができる。従って、無線デバイスは、ＵＭＴＳセキュリティ・キーを生成するためにＥＰＣによって使用されるＤＬ ＮＡＳカウントを導出することができる。無線デバイスは、ローカルＤＬ ＮＡＳカウントおよびＥＰＣネットワーク・コンポーネントから受信されたＤＬ ＮＡＳカウントのＬＳＢｓに少なくとも一部分基づいてＤＬ ＮＡＳカウントを導出することができる。例えば、ローカルＤＬ ＮＡＳのＬＢＳｓがＬＳＢｓ値の限界を超えてラップする（wrap）場合（従って、ローカルＤＬ ＮＡＳカウントのＬＳＢｓ値はより低いが、一方でローカルＤＬ ＮＡＳカウントはより高い）、導出されたＤＬ ＮＡＳカウントの残りのビットは、パラメータ（例えば、受信されたＬＳＢｓと、ローカルＤＬ ＮＡＳカウントの類似したＬＳＢｓとの間のしきい値最大下差異）に少なくとも一部分基づいてインクリメントまたはデクリメントされることができる。正しいＤＬ ＮＡＳカウントにより、無線デバイスは、ＵＭＴＳネットワークへのデバイスのシームレスなハンドオーバを容易にするために、ＥＰＣによって利用されるＵＭＴＳセキュリティ・キーを生成することができる。
【００２８】
[0028]    本願において使用されるように、用語「コンポーネント」、「モジュール」、「システム」、および同等のものは、限定はされないが、ハードウェア、ファームウェア、ハードウェアおよびソフトウェアの組み合わせ、ソフトウェア、または実行中のソフトウェアのような、コンピュータ関連エンティティを含むよう意図されている。例えば、コンポーネントは、限定されないが、プロセッサ上で実行している処理、プロセッサ、オブジェクト、実行ファイル、実行スレッド、プログラム、および／またはコンピュータであり得る。例として、コンピューティング・デバイス上で動作しているアプリケーションとコンピューティング・デバイスの両方がコンポーネントであることができる。１つ以上のコンポーネントは、処理および／または実行スレッド内に存在することができ、コンポーネントは、一つのコンピュータに局在される、および／または２つ以上のコンピュータの間に分散され得る。さらに、これらのコンポーネントは、様々なデータ構造が格納されている様々なコンピュータ可読媒体から実行されることができる。コンポーネントは、例えば、ローカル・システム、分散システム内の別のコンポーネントとインタラクトする１つのコンポーネントからのデータ、および／または、信号を経由して他のシステムを備えたインターネットのようなネットワークを介して別のコンポーネントとインタラクトする１つのコンポーネントからのデータのような１つ以上のデータ・パケットを有する信号に従うようなローカル処理および／または遠隔処理によって通信し得る。
【００２９】
[0029]    さらに、様々な態様が有線または無線端末であり得る端末に関連してここで説明される。端末は、システム、デバイス、加入者ユニット、加入者局、移動局、移動体、モバイル・デバイス、遠隔局、遠隔端末、アクセス端末、ユーザ端末、端末、通信デバイス、ユーザ・エージェント、ユーザ・デバイス、またはユーザ機器（ＵＥ）とも呼ばれることができる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続能力を有するハンドヘルド・デバイス（handheld device having wireless connection capability）、コンピューティング・デバイス、または無線モデムに接続される他の処理デバイスであり得る。さらに、様々な態様が基地局に関連してここで説明される。基地局は、（単数または複数の）無線端末との通信に利用され、また、アクセス・ポイント、ノードＢ、発展型ノードＢ（ｅＮＢ）、または何らかの他の用語で呼ばれ得る。
【００３０】
[0030]    さらに、用語「または」は、排他的な「または」ではなく、包括的な「または」を意味するように意図されている。すなわち、別に示されていない、または、文脈から明らかでない限り、「ＸはＡまたはＢを使用する」という句は、自然な包括的な置き換えのうちの何れかを意味するように意図されている。すなわち、「ＸはＡまたはＢを使用する」という句は、以下の例のうちのいずれかによって満たされる：ＸはＡを使用する；ＸはＢを使用する；または、ＸはＡとＢの両方を使用する。さらに、本願および特許請求の範囲において使用されるような冠詞「ａ」および「ａｎ」は、特に指定されない、または、単数を対象としていることが文脈から明らかでない限り、一般に、「１つ以上の」を意味するものと解釈されるべきである。
【００３１】
[0031]    ここで説明される技術は、ＣＤＭＡ、ＴＤＭＡ、ＦＤＭＡ、ＯＦＤＭＡ、ＳＣ−ＦＤＭＡおよび他のシステムのような様々な無線通信システムに関して使用され得る。用語「システム」および「ネットワーク」は、しばしば区別なく用いられている。ＣＤＭＡシステムは、ユニバーサル地上無線アクセス（ＵＴＲＡ）、ＣＤＭＡ２０００等のような、無線技術を実現することができる。ＵＴＲＡは、広帯域−ＣＤＭＡ（Ｗ−ＣＤＭＡ）およびＣＤＭＡの他の変形を含む。さらに、ｃｄｍａ２０００は、ＩＳ−２０００、ＩＳ−９５、およびＩＳ−８５６規格をカバーする。ＴＤＭＡシステムは、移動通信のためのグローバルシステム（ＧＳＭ（登録商標）：Global System for Mobile Communications）のような無線技術を実現することができる。ＯＦＤＭＡシステムは、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ（登録商標）等のような、無線技術を実現することができる。ＵＴＲＡおよびＥ−ＵＴＲＡは、ユニバーサル・モバイル通信システム（ＵＭＴＳ）の一部である。３ＧＰＰロング・ターム・エボリューション（ＬＴＥ）は、ＤＬ上ではＯＦＤＭＡを、アップリンク上ではＳＣ−ＦＤＭＡを使用するＥ−ＵＴＲＡを利用する、ＵＭＴＳのリリース（release）である。ＵＴＲＡ、Ｅ−ＵＴＲＡ、ＵＭＴＳ、ＬＴＥ、およびＧＳＭは、「第３世代パートナーシップ・プロジェクト」（３ＧＰＰ）と称する組織による文書に記載されている。さらに、ｃｄｍａ２０００およびＵＭＢは、「第３世代パートナーシップ・プロジェクト２」（３ＧＰＰ２）と称される団体による文書に記載されている。さらに、そのような無線通信システムは、追加として、しばしばアンペアな（unpaired）無許可のスペクトルを使用するピア・ツー・ピア（例えば、モバイル・ツー・モバイル）アド・ホック・ネットワーク・システム、８０２．ｘｘ無線ＬＡＮ、Ｂｌｕｅｔｏｏｔｈ（登録商標）、および、任意の他の短距離または長距離の無線通信技術を含み得る。
【００３２】
[0032]    様々な態様または特徴は、多くのデバイス、コンポーネント、モジュール、および同等のものを含み得るシステムの観点から提示されるだろう。様々なシステムは、追加のデバイス、コンポーネント、モジュール、等を含み、および／または、図面に関連して説明されるデバイス、コンポーネント、モジュール、等のすべてを含むことはないと理解し、認識されるべきである。これらのアプローチの組み合わせも、また使用され得る。
【００３３】
[0033]    図１を参照すると、例示されているのは、遠隔ネットワーク・ノードによって利用されるメッセージ・カウント（「ネットワーク・メッセージ・カウント」とも呼ばれる）を導出することを容易にする無線通信システム１００である。システム１００は、無線ネットワーク・アクセスを受信するために、遠隔ネットワーク・ノード１０４と通信することができるデバイス１０２を含む。例えば、デバイス１０２は、ＵＥ、モデム（または他の係留されたデバイス（tethered device））、その一部、または実質的に無線ネットワークにおいて１つ以上の基地局または他のデバイスと通信することができる任意のデバイスであることができる。さらに、遠隔ネットワーク・ノード１０４は、マクロセル、フェムトセル、またはピコセル基地局、中継ノード、モバイル基地局、（例えば、ピア・ツー・ピアまたはアドホック・モードにおいてデバイス１０２を通信する）モバイル・デバイス、ネットワーク・コンポーネント（例えば、ゲートウェイ、モビリティ管理エンティティ（ＭＭＥ）、および／または同等のもの）、その一部、および／または実質的に１つ以上のデバイスと通信することができる任意のデバイスであることができる。
【００３４】
[0034]    図示されるように、デバイス１０２は、遠隔ネットワーク・ノードから受信されたメッセージに関連するローカル・メッセージ・カウントを記憶することができ、メッセージを受信してローカル・メッセージ・カウントをインクリメントすることができるローカル・メッセージ・カウント・コンポーネント（a local message count component）１０６と、遠隔ネットワーク・ノードから少なくともメッセージ・カウントの一部を得ることができる部分的なメッセージ・カウント受信コンポーネント（a partial message count receiving component）１０８と、メッセージ・カウントの一部およびローカル・メッセージ・カウントに少なくとも一部分基づいて遠隔ネットワーク・ノードで使用されるメッセージ・カウントを計算することができるメッセージ・カウント導出コンポーネント（a message count deriving component）１１０を備えることができる。遠隔ネットワーク・ノード１０４は、デバイスに送信されたメッセージに関連するローカル・メッセージ・カウントを記憶することができ、デバイスにメッセージを送信してローカル・メッセージ・カウントをインクリメントすることができるローカル・メッセージ・カウント・コンポーネント１１２と、１つ以上の機能においてローカル・メッセージ・カウントを活用する（leverage）ことができるメッセージ・カウント利用コンポーネント（a message count utilizing componen）１１４と、デバイスに１つ以上の機能において利用されるローカル・メッセージ・カウントの少なくとも一部を提供することができる部分的なメッセージ・カウント・プロビジョニング・コンポーネント（a partial message count provisioning component）１１６を含むことができる。
【００３５】
[0035]    例によると、遠隔ネットワーク・ノード１０４は、メッセージをデバイス１０２に伝達することができる。ローカル・メッセージ・カウント・コンポーネント１１２は、送信された各メッセージのための遠隔ネットワーク・ノード１０４におけるメッセージ・カウンタをインクリメントすることができ、ローカル・メッセージ・カウント・コンポーネント１０６は、受信された各メッセージのためのデバイス１０２におけるメッセージ・カウンタをインクリメントすることができる。一例において、メッセージ・カウント利用コンポーネント１１４は、１つ以上の機能においてメッセージ・カウントを利用することができ、デバイス１０２は、１つ以上の機能の一部として利用されるメッセージ・カウントを決定することができる。従って、例えば、部分的なメッセージ・カウント・プロビジョニング・コンポーネント１１６は、ネットワーク・メッセージ・カウントの一部をデバイス１０２に伝達することができる。説明されているように、例えば、これは、遠隔ネットワーク・ノード１０４に対してローカルなメッセージ・カウントのＬＳＢｓの数（a number of LSBs of the message count）であることができる。
【００３６】
[0036]    この例において、部分的なメッセージ・カウント受信コンポーネント１０８は、メッセージ・カウントの一部（例えば、ＬＳＢｓ数（the number of LSBs））を得ることができる。メッセージ・カウント導出コンポーネント１１０は、遠隔ネットワーク・ノード１０４から受信されたネットワーク・メッセージ・カウントの一部およびデバイス１０２に対してローカルなメッセージ・カウントに少なくとも一部分基づいて、導出されたメッセージを計算することができる。例えば、説明されているように、メッセージ・カウント導出コンポーネント１１０は、導出されたメッセージ・カウントの残りの一部のためにデバイス１０２に対してローカルなメッセージ・カウントの一部を利用することができ、ここで、利用された一部は、遠隔ネットワーク・ノード１０４から受信されたメッセージ・カウントの一部に含まれない。さらに、メッセージ・カウント導出コンポーネント１１０は、導出されたメッセージ・カウント（例えば、受信されたＬＳＢｓ）の残りのために、遠隔ネットワーク・ノード１０４から受信されたメッセージ・カウントの一部を利用することができる。
【００３７】
[0037]    一例において、部分的なメッセージ・カウント・プロビジョニング・コンポーネント１１６は、デバイス１０２にメッセージ・カウントのｎ個のＬＳＢｓを提供することができ、ここでｎは、正の整数であり、メッセージ・カウントの総ビット数よりも少ない。部分的なメッセージ・カウント受信コンポーネント１０８は、メッセージ・カウントのｎ個のＬＳＢｓを得ることができる。この例において、メッセージ・カウント導出コンポーネント１１０は、遠隔ネットワーク・ノード１０４から受信されたメッセージ・カウントのｎ個のＬＳＢｓおよびデバイス１０２に対してローカルなメッセージ・カウントの残りのビットを利用することに少なくとも一部分基づいて遠隔ネットワーク・ノード１０４で利用されるメッセージ・カウントを導出することができる。一例において、メッセージ・カウント導出コンポーネント１１０は、遠隔ネットワーク・ノード１０４から受信されたメッセージ・カウントと、デバイス１０２に対してローカルなメッセージ・カウントとの間のしきい値差異に関連するパラメータに少なくとも一部分基づいて、導出されたメッセージ・カウントで利用されるように、デバイス１０２に対してローカルなメッセージ・カウントの残りのビットを修正する（例えば、ローカル・メッセージ・カウントのＬＳＢｓ値はラップされ、受信されたＬＳＢｓ値よりも小さいが、一方で全体的なローカル・メッセージ・カウントは遠隔ネットワーク・ノード１０４におけるメッセージ・カウントよりも大きい、またはその逆もしかりであるケースに対処する）かどうかを決定する。
【００３８】
[0038]    図２を参照すると、発展型パケット・コア（ＥＰＣ）ネットワークからＵＭＴＳネットワークにデバイス通信をハンドオーバすることを容易にする無線通信システム２００の例が図示されている。システム２００は、ＬＴＥのような、ＥＰＣネットワーク２０６へのアクセスを受信するために基地局２０４と通信するデバイス２０２を含むことができる。さらに、システム２００は、ＵＭＴＳネットワーク２１０へのアクセスを提供する基地局２０８を含む。説明されているように、デバイス２０２は、ＵＥ、モデム、等であることができ、基地局２０４および２０８は、マクロセル、フェムトセル、ピコセル基地局、等であることができる。
【００３９】
[0039]    一例において、デバイス２０２は、基地局２０４を介してＥＰＣネットワーク２０６と通信することができ、基地局２０８に通信をハンドオーバするように指示されることができる。一例において、ＬＴＥでは、デバイス２０２は、基地局２０８のような隣接基地局の通信メトリック（例えば、信号対雑音比（ＳＮＲ）、等）に関して基地局２０４に周期的な測定報告（periodic measurement reports）を送ることができる。デバイス２０２が基地局２０８により近づくと、基地局２０８のＳＮＲは、（例えば、測定報告に基づいた）ある特定のしきい値内の基地局２０４のそれよりも良くなり、例えば、基地局２０８へのデバイス２０２の通信のハンドオーバが開始されることができる。ＵＭＴＳネットワーク２１０は、パケット交換（ＰＳ）または回路交換（ＣＳ）ネットワークであることができ、ＥＰＣネットワーク２０６は、それに応じてＵＭＴＳネットワーク２１０のためのセキュリティ・キーを生成することができ、それはデバイス２０２が基地局２０４から基地局２０８へのシームレスなハンドオーバを容易にするために利用することができる。
【００４０】
[0040]    ＥＰＣネットワーク２０６は、ＥＰＣネットワーク２０６からデバイス２０２に送信されたＮＡＳメッセージに関連するＤＬ ＮＡＳカウントおよびＥ−ＵＴＲＡＮアクセス・セキュリティ・マネジメント・キー・エンティティ（E-UTRAN access security management key entity）、ＫＡＭＳＥのような、ＥＰＣセキュリティ・キーに少なくとも一部分基づいてＵＭＴＳネットワーク２１０のためのセキュリティ・キーを生成することができる。デバイス２０２は、ＥＰＣネットワーク２０６と通信する場合、使用するためのＥＰＣセキュリティ・キーを記憶することができる。しかしながら、（例えば、ある程度、ＵＭＴＳキー等を生成することに続いてデバイス２０２に送られるＮＡＳメッセージのせいで）デバイス２０２におけるＤＬ ＮＡＳカウントは、ＵＭＴＳキーを生成するために利用されるＤＬ ＮＡＳカウントと異なり得る。この点で、基地局２０４は、デバイス２０２にハンドオーバ・コマンドにおいて関連するＤＬ ＮＡＳカウントの一部を提供することができる。従って、デバイス２０２は、ハンドオーバ・コマンドでＤＬ ＮＡＳカウントの一部を受信することができ、ＤＬ ＮＡＳカウントの残りを導出することに少なくとも一部分基づいてＵＭＴＳネットワーク２１０のためのセキュリティ・キーを生成することができる。
【００４１】
[0041]    説明されているように、デバイス２０２は、また、ローカルＤＬ ＮＡＳカウント（ここでは局所的に記憶されたＤＬ ＮＡＳカウントとも呼ばれる）を記憶および維持することができ、それ故に、基地局２０４から受信されたＤＬ ＮＡＳカウントの一部にさらに基づいてＤＬ ＮＡＳカウントを導出するためにローカルＤＬ ＮＡＳカウントの一部を利用することができる。一例において、ＤＬ ＮＡＳカウントは、ｍ個のビットであることができ、ここでｍは、１よりも大きい正の整数である。基地局２０４は、ＥＰＣネットワーク２０６からデバイスにＤＬ ＮＡＳカウントのｎ個のＬＳＢｓを送ることができ、ここで０＜ｎ≦ｍである。従って、デバイス２０２は、ＤＬ ＮＡＳカウントを導出するために基地局２０４から受信されたｎ個のＬＳＢｓを用いて、ローカルＤＬ ＮＡＳカウントのｍ−ｎ個の最上位ビット（most significant bits）（ＭＳＢｓ）を利用することができる。
【００４２】
[0042]    さらに、デバイス２０２は、基地局２０４から受信されたＤＬ ＮＡＳカウントのｎ個のＬＳＢｓと、ローカルＤＬ ＮＡＳカウントのｎ個のＬＳＢｓとの間のしきい値最大下差異に関連するパラメータに少なくとも一部分基づいて、導出されたＤＬ ＮＡＳカウントのｍ−ｎ個のＭＳＢｓを修正するかどうかを決定することができる。例えば、パラメータは、ＤＬ ＮＡＳカウントのより大きいものが２ｎ以上をラップする（wraps beyond ２ｎ）（例えば、ここではオーバーフローと呼ばれる）、および／またはＤＬ ＮＡＳカウントのより少ないものが０以下をラップする（wraps below 0）(例えば、ここではアンダーフローと呼ばれる)ラップ・ケース（wrap case）の検出を可能にすることができる。ＤＬ ＮＡＳカウントを導出して、デバイス２０２は、導出されたＤＬ ＮＡＳカウントに少なくとも一部分基づいてＵＭＴＳセキュリティ・キーを生成することができ、そこへのシームレスなハンドオーバを容易にするために、ＵＭＴＳネットワーク２１０とのその後の通信でＵＭＴＳセキュリティ・キーを利用することができる。
【００４３】
[0043]    図３は、ＵＭＴＳセキュリティ・キーを生成するためにＤＬ ＮＡＳカウントを導出することを容易にする例示的な無線通信システム３００を示す。システム３００は、（例えば、基地局、ピア・ツー・ピアデバイス、および／または同等のもののような１つ以上の他のデバイスを介して）ＥＰＣネットワーク・コンポーネント３０４と通信するデバイス３０２を備える。ＥＰＣネットワーク・コンポーネント３０４は、例えば、ＤＬ ＮＡＳカウントに少なくとも一部分基づいて１つ以上の機能を実行し、ＤＬ ＮＡＳカウントを維持するゲートウェイ、ＭＭＥ、または類似したコンポーネントであることができる。
【００４４】
[0044]    デバイス３０２は、ＥＰＣネットワークでＤＬ ＮＡＳメッセージを受信することに関連する、ローカルＤＬ ＮＡＳカウントを維持するＤＬ ＮＡＳカウント・コンポーネント３０６と、ＵＭＴＳハンドオーバ・コマンドでＤＬ ＮＡＳカウントのｎ個のＬＳＢｓを得るためのＬＳＢ ＤＬ ＮＡＳカウント受信コンポーネント３０８を備えることができる。デバイス３０２は、また、ＵＭＴＳハンドオーバ・コマンドで得られたＤＬ ＮＡＳカウントのｎ個のＬＳＢｓおよびローカルＤＬ ＮＡＳカウントに少なくとも一部分基づいて、導出されたＤＬ ＮＡＳカウントを生成するＤＬ ＮＡＳカウント導出コンポーネント３１０と、導出されたＤＬ ＮＡＳカウントに少なくとも一部分基づいてＵＭＴＳセキュリティ・キーを作成するためのＵＭＴＳセキュリティ・キー生成コンポーネント３１２を備える。ＥＰＣネットワーク・コンポーネント３０４は、デバイスにＤＬ ＮＡＳメッセージを送信することに関連する、ローカルＤＬ ＮＡＳカウントを維持するＤＬ ＮＡＳカウント・コンポーネント３１４と、ＤＬ ＮＡＳカウントに少なくとも一部分基づいてデバイスのためのＵＭＴＳセキュリティ・キーを作成するＵＭＴＳセキュリティ・キー生成コンポーネント３１６と、ローカルＤＬ ＮＡＳカウントのｎ個のＬＳＢｓをデバイスに伝達するＬＳＢ ＤＬ ＮＡＳカウント・プロビジョニング・コンポーネント３１８を備えることができる。
【００４５】
[0045]    デバイス３０２は、ＥＰＣネットワーク・コンポーネント３０４と通信することができ、（例えば、基地局を介して）そこからＤＬ ＮＡＳメッセージを受信することができる。ＥＰＣネットワーク・コンポーネント３０４によって送信された各ＤＬ ＮＡＳメッセージのために、ＤＬ ＮＡＳカウント・コンポーネント３１４は、ＥＰＣネットワーク・コンポーネント３０４に対してローカルなＤＬ ＮＡＳカウントをインクリメントすることができる。デバイス３０２で受信された各ＤＬ ＮＡＳメッセージのために、ＤＬ ＮＡＳカウント・コンポーネント３０６は、デバイス３０２に対してローカルなＤＬ ＮＡＳカウントをインクリメントすることができる。従って、ＤＬ ＮＡＳカウント・コンポーネント２０６および３１４は、類似したＤＬ ＮＡＳカウントを維持することができる。説明されているように、例えば、デバイス３０２とＥＰＣネットワーク・コンポーネント３０４との間の通信を容易にする基地局は、ＵＭＴＳネットワーク基地局へのデバイス３０２のハンドオーバを支援することができる。この点で、ＵＭＴＳセキュリティ・キー生成コンポーネント３１６は、（例えば、基地局からのそのようなキーに対する要求に少なくとも一部分基づいて、または別の方法で、）デバイス３０２のためのＵＭＴＳセキュリティ・キーを生成することができる。
【００４６】
[0046]    ＵＭＴＳセキュリティ・キー生成コンポーネント３１６は、ＥＰＣネットワーク・コンポーネント３０４およびデバイス３０２によって、ＥＰＣネットワーク通信のために使用されるセキュリティ・キーおよびＤＬ ＮＡＳカウントに少なくとも一部分基づいてＵＭＴＳセキュリティ・キーを作成することができる。従って、一例において、説明されているように、（例えば、ＥＰＣネットワーク・コンポーネント３０４が、セキュリティ・キーを生成するのにかかる時間と、ハンドオーバ・コマンドを送信するのにかかる時間との間でデバイス３０２にさらなるＮＡＳメッセージを送る場合、）セキュリティ・キーを生成するために使用されるＤＬ ＮＡＳカウントが、デバイス１０２におけるＤＬ ＮＡＳカウントと異なり得るので、ＬＳＢ ＤＬ ＮＡＳカウント・プロビジョニング・コンポーネント３１８は、ＵＭＴＳセキュリティ・キーを生成することを容易にするために、デバイス３０２にローカルＤＬ ＮＡＳカウントのｎ個のＬＳＢｓを送信することができる。ＬＳＢ ＤＬ ＮＡＳカウント受信コンポーネント３０８は、ＤＬ ＮＡＳカウントのｎ個のＬＳＢｓを得ることができ、ＤＬ ＮＡＳカウント導出コンポーネント３１０は、受信されたｎ個のＬＳＢｓに少なくとも一部分基づいて、導出されたＤＬ ＮＡＳカウントを生成することができる。説明されているように、例えば、ＤＬ ＮＡＳカウント導出コンポーネント３１０は、（例えば、ＤＬ ＮＡＳカウントがｍ個の総ビットを有する）導出されたＤＬ ＮＡＳカウントを生成するために、ローカルＤＬ ＮＡＳカウントのｍ−ｎ個のＭＳＢｓをさらに利用することができる。
【００４７】
[0047]    一態様において、ＤＬ ＮＡＳカウントは、２４ビットであることができ、ＬＳＢ ＤＬ ＮＡＳカウント・プロビジョニング・コンポーネント３１８は、デバイス３０２に、ＥＰＣネットワーク・コンポーネント３０４におけるＤＬ ＮＡＳカウントの４個のＬＳＢｓを送ることができる。例示的なケースにおいて、デバイス３０２におけるＤＬ ＮＡＳカウントは、以下と類似したフォーマットを有することができる：
【００４８】
【表１】
0005729734.tif 000002
ＤＬ ＮＡＳカウント導出コンポーネント３１０は、Ｙ２をＥＰＣネットワーク・コンポーネント３０４から受信された４個のＬＳＢｓと交換することができる。
【００４９】
[0048]    さらに、ＤＬ ＮＡＳカウント導出コンポーネント３１０は、ＬＳＢ値の間のしきい値最大下差異（例えば、受信された４個のＬＳＢｓに基づいたＥＰＣネットワーク・コンポーネント３０４におけるＤＬ ＮＡＳカウントの最大下差異）に関連するパラメータＣを備えたＥＰＣネットワーク・コンポーネント３０４から受信された４個のＬＳＢｓと、ローカルＤＬ ＮＡＳカウントのＹ２とを比較することに少なくとも一部分基づいて、少なくとも導出されたＤＬ ＮＡＳカウントのＹ１および／またはＸの部分を修正するかどうかを決定することができる。例えば、Ｃは、０≦Ｃ＜２ｎのような実質的に任意の値であることができ、ここでｎは、この例において４である。この点で、上記フォーマットを仮定すると、ＤＬ ＮＡＳカウント導出コンポーネント３１０は、以下のものに少なくとも一部分基づいてＤＬ ＮＡＳカウントを生成することができ、ここで、ＺはＥＰＣネットワーク・コンポーネント３０４から受信された４個のＬＳＢｓである：  
Ｙ’＝（Ｙ２−Ｃ）ｍｏｄ１６  
Ｙ２≧Ｙ’の場合、例えばＹ’がラップしない場合、  
Ｙ２≦Ｚ≦１５である（例えば、ＥＰＣネットワーク・コンポーネント３０４がデバイス３０２よりも大きい４個のＬＳＢ値を有する）場合、導出されたＤＬ ＮＡＳカウントはＸ｜｜Ｙ１｜｜Ｚである；  
Ｙ’＜Ｚ＜Ｙ２である（例えば、ＥＰＣネットワーク・コンポーネント３０４がデバイス３０２よりも小さい４個のＬＳＢ値を有する）場合、導出されたＤＬ ＮＡＳカウントはＸ｜｜Ｙ１｜｜Ｚである；  
０≦Ｚ≦Ｙ’である（例えば、ＥＰＣネットワーク・コンポーネント３０４がデバイス３０２よりも大きい４個のＬＳＢ値を有する）場合、導出されたＤＬ ＮＡＳカウントは、Ｘ｜｜Ｙ１＋１｜｜Ｚである（Ｙ１＋１がオーバーフローした場合、導出されたＤＬ ＮＡＳカウントは、Ｘ＋１｜｜Ｙ１−１５｜｜Ｚであることができる）。  
Ｙ２＜Ｙ’の場合、例えばＹ’がラップする場合、  
Ｙ２≦Ｚ≦Ｙ’である（例えば、ＥＰＣネットワーク・コンポーネント３０４がデバイス３０２よりも大きい４個のＬＳＢ値を有する）場合、推定されたＤＬ ＮＡＳカウントはＸ｜｜Ｙ１｜｜Ｚである；  
０≦Ｚ＜Ｙ２である（例えば、ＥＰＣネットワーク・コンポーネント３０４がデバイス３０２よりも小さい４個のＬＳＢ値を有する）場合、推定されたＤＬ ＮＡＳカウントはＸ｜｜Ｙ１｜｜Ｚである；  
Ｙ’＜Ｚ≦１５である（例えば、ＥＰＣネットワーク・コンポーネント３０４がデバイス３０２よりも小さい４個のＬＳＢ値を有する）場合、推定されたＤＬ ＮＡＳカウントは、Ｘ｜｜Ｙ１−１｜｜Ｚである（Ｙ１−１がアンダーフローした場合、推定されたＤＬ ＮＡＳカウントは、Ｘ−１｜｜Ｙ１＋１５｜｜Ｚであることができる）。  
上記の表記法ａ││ｂ││ｃは、上述されているように、ＭＳＢからＬＳＢまでの３つの変数の連結である。任意のケースにおいて、ＵＭＴＳセキュリティ・キー生成コンポーネント３１２は、導出されたＤＬ ＮＡＳカウントに少なくとも一部分基づいてＵＭＴＳセキュリティ・キー（例えば、およびＥＰＣネットワーク・コンポーネント３０４と通信することにおいて使用されるセキュリティ・キー）を作成することができる。さらに、ＵＭＴＳセキュリティ・キー生成コンポーネント３１２は、ハンドオーバの後にＵＭＴＳネットワーク・コンポーネントと通信することにおいてＵＭＴＳセキュリティ・キーを利用することができる。
【００５０】
[0049]    図４を参照すると、チャート４００および４０２は、上述されているＤＬ ＮＡＳカウントを決定するための処理の態様を例示する。チャート４００は、Ｙ’およびＹ２のいくつかの任意の値に対して、Ｙ２≧Ｙ’であるケースを示す。このケースにおいて、Ｙ’はラップせず、Ｙ２−Ｃは０を超えてスパン（span）しないことを意味している(Y’ does not wrap, meaning Y2 − C does not span past 0)。このケースにおいて、（例えば、Ｙ’および０を含めて）Ｚが範囲４０４内にある場合、ＥＰＣネットワーク・コンポーネントにおけるＤＬ ＮＡＳカウントはより大きいので、Ｙ１は、導出されたＤＬ ＮＡＳカウントにおいてインクリメントされる。Ｙ１をインクリメントすることがＹ１のオーバーフローを引き起こす場合、オーバーフロー・カウンタＸは、インクリメントされることができ、２ｎ−１は、Ｙ１から引かれることができ、ここで、ｎは、Ｚのビット数（the number of bits of Z）である。（例えば、Ｙ’およびＹ２を除いて）Ｚが範囲４０６内にある場合、ＥＰＣネットワーク・コンポーネントにおけるＤＬ ＮＡＳカウントはより小さいので、Ｙ１に変更は要求されない。（例えば、Ｙ２および１５を含めて）Ｚが範囲４０８内にある場合、ＥＰＣネットワーク・コンポーネントにおけるＤＬ ＮＡＳカウントはより大きく、同様にＹ１に変更は要求されない。
【００５１】
[0050]    チャート４０２は、Ｙ２＜Ｙ’のケースを示す。このケースにおいて、Ｙ’はラップし、Ｙ２−Ｃは０を超えてスパンすることを意味し（Y’ wraps, meaning Y2 − C spans past 0）、１６を法として実行する(performing modulo 16)ことは、（Ｙ２−Ｃは負ではあるが）Ｙ２よりも大きい値となる。このケースにおいて、（例えば、Ｙ２および０を含めて）Ｚが範囲４１０内にある場合、ＥＰＣネットワーク・コンポーネントにおけるＤＬ ＮＡＳカウントはより小さいので、Ｙ１に変更は要求されない。（例えば、Ｙ２およびＹ’を除いて）Ｚが範囲４１２内にある場合、ＥＰＣネットワーク・コンポーネントにおけるＤＬ ＮＡＳカウントはより大きいので、Ｙ１に変更は要求されない。（例えば、Ｙ’および１５を含めて）Ｚが範囲４１４内にある場合、ＥＰＣネットワーク・コンポーネントにおけるＤＬ ＮＡＳカウントはより小さく、Ｙ１は、導出されたＤＬ ＮＡＳカウントにおいてデクリメントされる。Ｙ１をデクリメントすることがＹ１のアンダーフローを引き起こす場合、オーバーフロー・カウンタＸは、デクリメントされることができ、Ｙ１に２ｎ−１が加えられることができる。
【００５２】
[0051]    図５は、ローカルＤＬ ＮＡＳカウント、受信されたＤＬ ＮＡＳカウントのＬＳＢｓ、および２つの間のしきい値最大下差異に関連するパラメータに少なくとも一部分基づいてＤＬ ＮＡＳカウントを導出することを容易にする例示的なデバイス５００を示す。説明されているように、デバイス５００は、ＵＥ、モデム（または他の係留されたデバイス）、等であることができる。デバイス５００は、ＥＰＣネットワークにおいてＤＬ ＮＡＳメッセージを受信することに関連する、ローカルＤＬ ＮＡＳカウントを維持するＤＬ ＮＡＳカウント・コンポーネント３０６と、ＵＭＴＳハンドオーバ・コマンドにおいてＤＬ ＮＡＳカウントのｎ個のＬＢＳｓを得るＬＳＢ ＤＬ ＮＡＳカウント受信コンポーネント３０８と、ローカルＤＬ ＮＡＳカウントとＤＬ ＮＡＳカウントのｎ個の受信されたＬＳＢｓとの間のしきい値最大下差異に関連するパラメータを得るしきい値パラメータ決定コンポーネント５０２を備えることができる。デバイス５００は、また、説明されているように、ＵＭＴＳハンドオーバ・コマンドで得られたＤＬ ＮＡＳカウントのｎ個のＬＳＢｓおよびローカルＤＬ ＮＡＳカウントに少なくとも一部分基づいて、導出されたＤＬ ＮＡＳカウントを生成するＤＬ ＮＡＳカウント導出コンポーネント３１０と、導出されたＤＬ ＮＡＳカウントに少なくとも一部分基づいてＵＭＴＳセキュリティ・キーを作成するＵＭＴＳセキュリティ・キー生成コンポーネント３１２を備える。
【００５３】
[0052]    一態様において、デバイス５００は、（例えば、基地局を介して）そこからＤＬ ＮＡＳメッセージを受信する（図示されていない）ＥＰＣネットワーク・コンポーネントと通信することができる。デバイス５００で受信された各ＤＬ ＮＡＳメッセージのために、ＤＬ ＮＡＳカウント・コンポーネント３０６は、デバイス５００に対してローカルなＤＬ ＮＡＳカウントをインクリメントすることができる。説明されているように、例えば、ＬＳＢ ＤＬ ＮＡＳカウント受信コンポーネント３０８は、ハンドオーバ・コマンドまたは類似したメッセージにおいて、（例えば、基地局を介して）ＥＰＣネットワーク・コンポーネントからＤＬ ＮＡＳカウントのｎ個のＬＳＢｓを得ることができる。さらに、例えば、しきい値パラメータ決定コンポーネント５０２は、０≦Ｃ＜２ｎのように、ローカルＤＬ ＮＡＳカウントのｎ個のＬＳＢｓと、ＬＳＢ ＤＬ ＮＡＳカウント受信コンポーネント３０８で受信されたｎ個のＬＳＢｓとの間のしきい値最大下差異に関連するパラメータＣを得ることができる。この点で、上述されているように、ＤＬ ＮＡＳカウント導出コンポーネント３１０は、受信されたｎ個のＬＳＢｓ、ローカルＤＬ ＮＡＳカウント、およびパラメータに少なくとも一部分基づいて、導出されたＤＬ ＮＡＳカウントを生成することができる。
【００５４】
[0053]    一例において、しきい値パラメータ決定コンポーネント５０２は、ハードコーディング（hardcoding）、ネットワーク指定（network specification）、（例えば、他のネットワーク通信におけるデバイス５００に示される、デバイス５００のリムーバブル・メディアに記憶される、等のような）構成、および／または同等のものからＣパラメータを取得することができ、またはハードコーディング、ネットワーク指定、構成、および／または同等のものから受信された他の情報に基づいてそのパラメータを決定することができる。例えば、Ｃ＝０は、ＥＰＣネットワーク・コンポーネントにおけるＤＬ ＮＡＳカウントがデバイス５００におけるＤＬ ＮＡＳカウントよりもほとんど大きい、または等しい場合に対処するために、しきい値パラメータ決定コンポーネント５０２によって特定されることができる。別の例において、Ｃ＝２ｎ−１は、デバイス５００におけるＤＬ ＮＡＳカウントがＥＰＣネットワーク・ノードにおけるＤＬ ＮＡＳカウントよりもほとんど大きい、または等しい場合に対処するために、しきい値パラメータ決定コンポーネント５０２によって特定されることができる。この点で、例えば、しきい値パラメータ決定コンポーネント５０２は、実質的に等しい確率で（at substantially equal probability）上記の両方のケースに対処するために、Ｃ＝２ｎ／２を特定することができる。
【００５５】
[0054]    別の例において、しきい値パラメータ決定コンポーネント５０２は、ＥＰＣネットワーク・ノードとの通信に関連する１つ以上の通信メトリックに少なくとも一部分基づいてパラメータを計算することができる。一例において、しきい値パラメータ決定コンポーネント５０２は、ハンドオーバ・コマンドより前の時間間隔でＥＰＣネットワーク・コンポーネントから受信されたＮＡＳメッセージの数（a number of NAS messages）を決定することができる。この点で、Ｃは、ＮＡＳメッセージ数の非減少関数（a non-decreasing function of the number of NAS messages）として設定されることができる。さらに、しきい値パラメータ決定コンポーネント５０２は、ハンドオーバ・メッセージがＥＰＣネットワーク・コンポーネントから送られるその時間にハンドオーバが開始される前後に時間間隔を設定することができる。これは、例えば、（例えば、ハンドオーバ・メッセージにおいて）ＥＰＣネットワーク・コンポーネントから受信された時間間隔、デバイス５００におけるＤＬ ＮＡＳカウントおよび以前のハンドオーバ・コマンドのためのＤＬ ＮＡＳカウント導出コンポーネント３１０によって導出されたカウントの差異の分析を含む以前のハンドオーバ・コマンドのための１つ以上の時間間隔の分析、および／または同等のものに基づくことができる。任意のケースにおいて、しきい値パラメータ決定コンポーネント５０２は、時間間隔の開始からパラメータ値を決定する際にハンドオーバ・コマンドが受信される時間までのＮＡＳメッセージの数を決定することができる。別の例において、しきい値パラメータ決定コンポーネント５０２は、ハードコーディング、ネットワーク指定、構成、等に従って時間間隔を設定することができる。
【００５６】
[0055]    図６−７を参照すると、ＤＬ ＮＡＳカウントを導出することに関連する方法の例が例示されている。説明の簡略化の目的のために、本方法は一連の動作として説明および示されているが、いくつかの動作は、１つ以上の実施形態に従って、ここで説明および示されるものとは異なる順序で、および／または他の動作と同時に起こり得るので、本方法は動作の順序によって限定されないことが理解および認識されるべきである。例えば、状態図のような、一連の相互に関連する状態またはイベントとして、方法を代替的に表すことができることを認識すべきである。さらに、１つ以上の実施形態に従って、方法を実現するために例示されるすべての動作は必要とされない。
【００５７】
[0056]    図６を参照すると、方法６００の例は、導出されたＤＬ ＮＡＳカウントを使用してセキュリティ・キーを生成することを容易にすることが表示されている。６０２では、ＤＬ ＮＡＳカウントの一部は、ターゲットネットワークへのハンドオーバ中に、遠隔ネットワーク・ノードから受信されることができる。説明されているように、その一部は、ＤＬ ＮＡＳカウントのＬＢＳｓの数に関連することができ、それは、ネットワーク・コンポーネントによってセキュリティ・キーを生成するために使用されることができた。６０４では、導出されたＤＬ ＮＡＳカウントは、ＤＬ ＮＡＳカウントの一部および局所的に記憶されたＤＬ ＮＡＳカウントに少なくとも一部分基づいて生成されることができる。例えば、上述されているように、受信されたＤＬ ＮＡＳカウントのＬＳＢｓは、局所的に記憶されたＤＬ ＮＡＳの残りのＭＳＢと結合されることができる。さらに、例えば、パラメータは、説明されているように、導出されたＤＬ ＮＡＳカウントを生成することにおいて利用されることができる。このパラメータは、例えば、受信されたＤＬ ＮＡＳカウントの一部（例えば、ＬＳＢｓ）と、局所的に記憶されたＤＬ ＮＡＳカウントの類似した一部との間のしきい値最大下差異に関連することができる。６０６では、１つ以上のセキュリティ・キーは、導出されたＤＬ ＮＡＳカウントに少なくとも一部分基づいてターゲットネットワークのために生成されることができる。例えば、説明されているように、１つ以上のセキュリティ・キーは、シームレスなハンドオーバを容易にするためにその後の通信のために利用されることができる。
【００５８】
[0057]    図７を参照すると、導出されたＤＬ ＮＡＳカウントを生成することを容易にする方法７００の例が表示されている。この例において、上述されているように、Ｘは局所的に記憶されたＤＬ ＮＡＳカウントの１６ビットのオーバーフロー・カウンタに関連することができ、Ｙ１は局所的に記憶されたＤＬ ＮＡＳカウントのシーケンス番号（a sequence number）の４個のＭＳＢｓに関連することができ、Ｙ２は局所的に記憶されたＤＬ ＮＡＳカウントのシーケンス番号の４個のＬＳＢｓに関連することができ、Ｚはハンドオーバ・メッセージで受信された遠隔ネットワーク・ノードにおけるＤＬ ＮＡＳカウントの４個のＬＳＢｓに関連することができる。さらに、Ｃは、Ｙ２とＺとの間のしきい値最大下差異に関するパラメータに関連することができる。本開示は、広いアプリケーションを有し、ＤＬ ＮＡＳカウントの特定のサイズ、または（ＬＳＢｓ数、Ｘ、Ｙ１、Ｙ２、Ｚ、Ｃのサイズ、等を含む）ＤＬ ＮＡＳカウントを導出するために使用されるパーツ（parts）に限定されない。
【００５９】
[0058]    ７０２では、ＤＬ ＮＡＳカウントを導出することにおいて、Ｙ’は（Ｙ２−Ｃ）ｍｏｄ１６として計算されることができる。７０４では、それはＹ２＜Ｙ’かどうかが決定されることができる。７０６において、そうでなければ、それはＺ＜Ｙ２かどうかが決定されることができる。７０８において、そうでなけれ、導出されたＤＬ ＮＡＳカウントは、Ｘ｜｜Ｙ１｜｜Ｚに設定されることができ、ここで、｜｜は、関連ビットの連結を表す。Ｚ＜Ｙ２である場合、７１０において、それはＺ≦Ｙ’かどうかが決定されることができる。そうでなければ、７０８において、導出されたＤＬ ＮＡＳカウントは、Ｘ｜｜Ｙ１｜｜Ｚに設定されることができる。Ｚ≦Ｙ’である場合、７１２において、それは、Ｙ１＋１がオーバーフローする（例えば、Ｙ１＝１５）かどうかが決定されることができる。そうでなければ、７１４において、導出されたＤＬ ＮＡＳカウントは、Ｘ｜｜Ｙ１＋１｜｜Ｚに設定されることができる。Ｙ１＋１がオーバーフローするであろう場合、７１６において、導出されたＤＬ ＮＡＳカウントは、Ｘ＋１｜｜Ｙ１−１５｜｜Ｚに設定されることができる。７０４においてＹ２＜Ｙ’である場合、７１８において、それはＺ＜Ｙ２かどうかが決定されることができる。そうであれば、７０８において、導出されたＤＬ ＮＡＳカウントは、Ｘ｜｜Ｙ１｜｜Ｚに設定されることができる。７２０において、そうでなければ、それはＺ≦Ｙ’かどうかが決定されることができる。そうであれば、７０８において、導出されたＤＬ ＮＡＳカウントは、Ｘ｜｜Ｙ１｜｜Ｚに設定されることができる。そうでなければ、７２２において、それは、Ｙ１−１がアンダーフローするかどうか（例えば、Ｙ１＝０かどうか）が決定されることができる。そうでなければ、７２４において、導出されたＤＬ ＮＡＳカウントは、Ｘ｜｜Ｙ１−１｜｜Ｚに設定されることができる。そうであれば、７２６において、導出されたＤＬ ＮＡＳカウントは、Ｘ−１｜｜Ｙ１＋１５｜｜Ｚに設定されることができる。
【００６０】
[0059]    ここで説明されている１つ以上の態様に従って、説明されているように、ＤＬ ＮＡＳカウントを導出すること、関連したセキュリティ・キーを生成すること、および／または同等のものに関する推測が行われることを理解すべきである。ここで使用されるように、「推測する」または「推測」という用語は、一般的に、イベントおよび／またはデータを通してキャプチャされるような観測のセットから、システム、環境、および／または、ユーザの状態について推理すること、あるいは推測する処理のことを指す。推測は、特定の状況またはアクションを識別するために用いられることができ、あるいは、例えば、状態に対する確率分布を生成することができる。推論は、データとイベントの検討に基づいて関心のある状態に対する確率分布の計算であり、確率的である。推論は、イベントやデータのセットからより高いレベルのイベントを構成するために用いられる技術をも指すことができる。そのような推論は、イベントが近い時間的近接（close temporal proximity）に相関していようといまいと、イベントおよびデータが１つまたは幾つかのイベントおよびデータ・ソースに由来していようと、観測されたイベントおよび／または記憶されたイベント・データのセットから、新たなイベントまたは動作の構築となる。
【００６１】
[0060]    図８は、ＤＬ ＮＡＳカウントを導出することを容易にするモバイル・デバイス８００の例である。モバイル・デバイス８００は、例えば、（図示されていない）受信アンテナから信号を受信し、受信された信号で一般的な動作（例えば、フィルタリング、増幅、ダウンコンバート、その他）を実行し、調整した信号をデジタル化してサンプルを取得する受信機８０２を備える。受信機８０２は、受信されたシンボルを復調し、それらをチャネル推定のためにプロセッサ８０６に提供することができる復調器８０４を備える。プロセッサ８０６は、受信機８０２によって受信された情報を分析し、および／または、送信機８１６による送信のための情報を生成する専用のプロセッサ、モバイル・デバイス８００の１つ以上のコンポーネントを制御するプロセッサ、および／または、受信機８０２によって受信された情報を分析し、送信機８１６による送信のための情報を生成することと、モバイル・デバイス８００の１つ以上のコンポーネントを制御することの両方のプロセッサであることができる。
【００６２】
[0061]    モバイル・デバイス８００は、加えて、プロセッサ８０６に動作可能に結合されたメモリ８０８を備えることができ、それは、送信されるべきデータ、受信されたデータ、利用可能なチャネルに関連する情報、分析された信号および／または干渉強度に関連付けられたデータ、割当てられたチャネル、電力、レート、または同様のものに関連した情報、および、チャネルを推定し、チャネルを介して通信するための任意の他の適切な情報を記憶することができる。メモリ８０８はさらに、（例えば、パフォーマンス・ベース、キャパシティ・ベース、等の）チャネルを推定すること、および／または利用することに関連付けられたプロトコルおよび／またはアルゴリズムを記憶することができる。
【００６３】
[0062]    ここで説明されるデータ記憶装置（例えば、メモリ８０８）は、揮発性メモリまたは不揮発性メモリのいずれかであること、または揮発性と不揮発性メモリの両方を含むことができるということが理解されるだろう。限定ではなく例として、不揮発性メモリは、読み出し専用メモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュ・メモリを含むことができる。揮発性メモリには、外部のキャッシュメモリとして動作するランダム・アクセス・メモリ（ＲＡＭ）を含むことができる。限定ではなく例として、ＲＡＭは、同期ＲＡＭ（ＳＲＡＭ）、動的ＲＡＭ（ＤＲＡＭ）、同期ＤＲＡＭ（ＳＤＲＡＭ）、ダブル・データ・レートＳＤＲＡＭ（ＤＤＲＳＤＲＡＭ）、エンハンストＳＤＲＡＭ（ＥＳＤＲＡＭ）、および同等のもののような、多くの形態で利用可能である。主題のシステムおよび方法のメモリ８０８は、限定されていないが、これらと任意の他の適切なタイプのメモリを備えるように意図されている。
【００６４】
[0063]    プロセッサ８０６は、ローカルＤＬ ＮＡＳカウントを維持するＤＬ ＮＡＳカウント・コンポーネント３０６と、ネットワーク・コンポーネントからＤＬ ＮＡＳカウントのｎ個のＬＳＢｓを得るＬＳＢ ＤＬ ＮＡＳカウント受信コンポーネント３０８と、得られたＤＬ ＮＡＳカウントのｎ個のＬＳＢｓおよびローカルＤＬ ＮＡＳカウントに少なくとも一部分基づいて、導出されたＤＬ ＮＡＳカウントを生成するＤＬ ＮＡＳカウント導出コンポーネント３１０と、導出されたＤＬ ＮＡＳカウントに少なくとも一部分基づいて１つ以上のＵＭＴＳセキュリティ・キーを作成するＵＭＴＳセキュリティ・キー生成コンポーネント３１２とにさらに動作可能に結合されることができる。説明されているように、ＤＬ ＮＡＳカウント導出コンポーネント３１０は、得られたｎ個のＬＳＢｓと、ローカルＤＬ ＮＡＳカウントのｎ個のＬＳＢｓとの間のしきい値最大下差異に関連するパラメータに少なくとも一部分基づいてＤＬ ＮＡＳカウントをさらに導出することができる。モバイル・デバイス８００は、また、たとえば、基地局、別のモバイル・デバイス、等に、それぞれ信号を変調して、送信する変調器８１４および送信機８１６をさらに備えることができる。プロセッサ８０６から離れているように図示されているが、ＤＬ ＮＡＳカウント・コンポーネント３０６、ＬＳＢ ＤＬ ＮＡＳカウント受信コンポーネント３０８、ＤＬ ＮＡＳカウント導出コンポーネント３１０、ＵＭＴＳセキュリティ・キー生成コンポーネント３１２、復調器８０４および／または変調器８１４は、プロセッサ８０６または（図示されていない）複数のプロセッサの一部であることができることが理解されるべきである。
【００６５】
[0064]    図９を参照して、セキュリティ・キーを生成するためのＤＬ ＮＡＳカウントを導出するシステム９００が例示されている。例えば、システム９００は、基地局、モバイル・デバイス、等の中に少なくとも一部分存在することができる。システム９００は、機能ブロックを含むものとして示されることが認識されるべきであり、それは、プロセッサ、ソフトウェア、またはそれらの組み合わせ（例えば、ファームウェア）によって実現される機能を表す機能ブロックであることができる。システム９００は、共同して動作することができる電気コンポーネントの論理グループ９０２を含む。例えば、論理グループ９０２は、ターゲットネットワークへのハンドオーバ中に、遠隔ネットワーク・ノードからＤＬ ＮＡＳカウントの一部を受信するための電気コンポーネント９０４を含むことができる。説明されているように、例えば、ＤＬ ＮＡＳカウントの一部は、遠隔ネットワーク・ノードにおいてＤＬ ＮＡＳカウントのｎ個のＬＳＢｓであることができる。さらに、論理グループ９０２は、ＤＬ ＮＡＳカウントの一部および局所的に記憶されたＤＬ ＮＡＳカウントに少なくとも一部分基づいて、導出されたＤＬ ＮＡＳカウントを生成するための電気コンポーネント９０６を備えることができる。
【００６６】
[0065]    説明されているように、一例において、ＤＬ ＮＡＳカウントは、遠隔ネットワーク・ノードから受信されたＤＬ ＮＡＳカウントの一部、および局所的に記憶されたＤＬ ＮＡＳカウントの残りの一部（例えば、局所的に記憶されたＮＡＳカウントのＭＳＢの残りの一部）に少なくとも一部分基づいて、導出されることができる。さらに、例えば、ＤＬ ＮＡＳカウントの一部と、局所的に記憶されたＤＬ ＮＡＳカウントの類似した一部との間のしきい値最大下差異に関連するパラメータは、導出されたＤＬ ＮＡＳカウントを生成することにおいて利用されることができる。さらに、論理グループ９０２は、導出されたＤＬ ＮＡＳカウントに少なくとも一部分基づいてターゲットネットワークのための１つ以上のセキュリティ・キーを生成するための電気コンポーネント９０８を備えることができる。例えば、一態様において、上述されているように、電気コンポーネント９０４は、部分的なメッセージ・カウント受信コンポーネント１０８、ＬＳＢ ＤＬ ＮＡＳカウント受信コンポーネント３０８、等を含むことができる。さらに、上述されているように、例えば、電気コンポーネント９０６は、一態様において、メッセージ・カウント導出コンポーネント１１０、ＤＬ ＮＡＳカウント導出コンポーネント３１０、等を含むことができる。さらに、一例において、電気コンポーネント９０８は、一態様において、ＵＭＴＳセキュリティ・キー生成コンポーネント３１２、等を含むことができる。さらに、システム９００は、電気コンポーネント９０４、９０６、および９０８に関連付けられた機能を実行するための命令を保持するメモリ９１０を含むことができる。メモリ９１０の外側にあると示されているが、電気コンポーネント９０４、９０６、および９０８のうちの１つ以上は、メモリ９１０内に存在することができることを理解されるべきである。
【００６７】
[0066]    一例において、電気コンポーネント９０４、９０６、および９０８は、少なくとも１つのプロセッサを備えることができる、または各電気コンポーネント９０４、９０６、および９０８は、少なくとも１つのプロセッサの対応するモジュールであることができる。さらに、追加的または代替的な例において、電気コンポーネント９０４、９０６、および９０８は、コンピュータ可読媒体を備えるコンピュータ・プログラム製品であることができ、ここで、各電気コンポーネント９０４、９０６、および９０８は対応するコードであることができる。
【００６８】
[0067]    ここで図１０を参照すると、ここで提示される様々な実施形態に従って、無線通信システム１０００が図示されている。システム１０００は、複数のアンテナ・グループを含むことができる基地局１００２を備える。例えば、１つのアンテナ・グループは、アンテナ１００４およびアンテナ１００６を含むことができ、別のグループは、アンテナ１００８および１０１０を備えることができ、さらなるグループは、アンテナ１０１２および１０１４を含むことができる。各アンテナ・グループに対して２つのアンテナが図示されているが、各グループに対して、より多いまたはより少ないアンテナが利用されることができる。基地局１００２は、理解されるように、送信機チェーンと受信機チェーンを含むことができ、その各々は、信号の送受信に関連付けられた複数のコンポーネント（例えば、プロセッサ、変調器、マルチプレクサ、復調器、デマルチプレクサ、アンテナ、等）を順々にさらに備えることができる。
【００６９】
[0068]    基地局１００２は、モバイル・デバイス１０１６およびモバイル・デバイス１０２２のような、１つ以上のモバイル・デバイスと通信することができるが、基地局１００２は、モバイル・デバイス１０１６および１０２２に類似した実質的に任意の数のモバイル・デバイスと通信するできることが理解されるべきである。モバイル・デバイス１０１６および１０２２は、例えば、セルラ電話、スマートフォン、ラップトップ、ハンドヘルド通信デバイス、ハンドヘルド・コンピューティング・デバイス、衛星ラジオ、グローバル・ポジショニング・システム、ＰＤＡｓ、および／または、無線通信システム１０００を介して通信するための他の何らかの適切なデバイスであることができる。図示されるように、モバイル・デバイス１０１６は、アンテナ１０１２および１０１４と通信しており、ここで、アンテナ１０１２およびアンテナ１０１４は、順方向リンク１０１８を介してモバイル・デバイス１０１６に情報を送信し、逆方向リンク１０２０を介してモバイル・デバイス１０１６から情報を受信する。さらに、モバイル・デバイス１０２２は、アンテナ１００４および１００６と通信しており、ここで、アンテナ１００４および１００６は、順方向リンク１０２４を介してモバイル・デバイス１０２２に情報を送信し、逆方向リンク１０２６を介してモバイル・デバイス１０２２から情報を受信する。周波数分割複信（ＦＤＤ：frequency division duplex）システムにおいて、例えば、順方向リンク１０１８は、逆方向リンク１０２０によって使用されるものとは異なる周波数帯域を利用することができ、順方向リンク１０２４は、逆方向リンク１０２６によって使用されるものとは異なる周波数帯域を使用することができる。さらに、時分割複信（ＴＤＤ：time division duplex）システムにおいて、順方向リンク１０１８と逆方向リンク１０２０は、共通の周波数帯域を利用することができ、順方向リンク１０２４と逆方向リンク１０２６は、共通の周波数帯域を利用することができる。
【００７０】
[0069]    アンテナの各グループおよび／またはそれらが通信するように設計されているエリアは、基地局１００２のセクタと呼ばれることができる。例えば、アンテナ・グループは、基地局１００２によってカバーされているエリアのセクタ中で、モバイル・デバイスに通信するように設計されることができる。順方向リンク１０１８および１０２４による通信において、基地局１００２の送信アンテナは、ビームフォーミングを利用してモバイル・デバイス１０１６および１０２２に対する順方向リンク１０１８および１０２４の信号対雑音比を改善する。また、基地局１００２は、関連付けられたカバレッジにランダムに散在するモバイル・デバイス１０１６および１０２２に送信するためにビームフォーミングを使用する間、隣接セル内のモバイル・デバイスは、全てのそれらのモバイル・デバイスに単一のアンテナを通して送信する基地局に比べて少ない干渉を受け得る。さらに、モバイル・デバイス１０１６および１０２２は、図示されるように、ピア・ツー・ピアまたはアドホック技術を使用してお互いに直接通信をすることができる。一例に従って、システム１０００は、多入力多出力（ＭＩＭＯ）通信システムであることができる。
【００７１】
[0070]    図１１は、無線通信システム１１００の例を示す。簡潔にするために、無線通信システム１１００は、１つの基地局１１１０と１つのモバイル・デバイス１１５０を図示する。しかしながら、システム１１００は、２つ以上の基地局および／または２つ以上のモバイル・デバイスを含むことができることを理解すべきであり、ここにおいて、さらなる基地局および／またはモバイル・デバイスは、以下に説明される基地局１１１０およびモバイル・デバイス１１５０の例と実質的に類似する、または異なることができる。さらに、基地局１１１０および／またはモバイル・デバイス１１５０は、それらの間の無線通信を容易にするために、ここで説明されているシステム（図１−３、および８−１０）、チャート（図４）、モバイル・デバイス（図５）、および／または方法（図６−７）を使用することができることが理解されるべきである。例えば、ここで説明されたシステムおよび／または方法のコンポーネント、または機能は、以下で説明されるメモリ１１３２および／または１１７２、あるいは、プロセッサ１１３０および／または１１７０の一部であることができ、および／または、開示された機能を実行するためにプロセッサ１１３０および／または１１７０によって実行されることができる。
【００７２】
[0071]    基地局１１１０において、多数のデータ・ストリームに対するトラフィック・データが、データ・ソース１１１２から送信（ＴＸ）データ・プロセッサ１１１４に提供される。例に従って、各データ・ストリームは、各アンテナを介して送信されることができる。ＴＸデータ・プロセッサ１１１４は、符号化されたデータを提供するためにそのデータ・ストリームに対して選択された特定の符号化スキームに基づいて、トラフィック・データ・ストリームをフォーマットし、符号化し、インターリーブする。
【００７３】
[0072]    各データ・ストリームに対する符号化されたデータは、直交周波数分割多重化（ＯＦＤＭ）技術を使用して、パイロット・データと多重化できる。さらに、または代替的に、パイロット・シンボルは、周波数分割多重化（ＦＤＭ）、時分割多重化（ＴＤＭ）、または符号分割多重化（ＣＤＭ）であることができる。パイロット・データは、一般的に、既知の方法で処理される既知のデータ・パターンであり、チャネル応答を推定するために、モバイル・デバイス１１５０において使用されることができる。各データ・ストリームに対して多重化されたパイロットおよび符号化されたデータは、変調シンボルを提供するために、データ・ストリームに対して選択された特定の変調スキーム（例えば、２位相シフト・キーイング（ＢＰＳＫ）、直角位相シフト・キーイング（ＱＳＰＫ）、Ｍ位相シフト・キーイング（Ｍ−ＰＳＫ）、Ｍ直角振幅変調（Ｍ−ＱＡＭ）等）に基づいて、変調（例えば、シンボル・マッピング）されることができる。各データ・ストリームに対する、データ・レート、符号化、および変調は、プロセッサ１１３０により実行または提供される命令によって決定されることができる。
【００７４】
[0073]    データ・ストリームに対する変調シンボルは、（例えば、ＯＦＤＭのための）変調シンボルをさらに処理することができるＴＸ ＭＩＭＯプロセッサ１１２０に提供されることができる。ＴＸ ＭＩＭＯプロセッサ１１２０は、その後、ＮＴ変調シンボル・ストリームをＮＴ送信機（ＴＭＴＲ）１１２２ａないし１１２２ｔに提供する。様々な実施形態において、ＴＸ ＭＩＭＯプロセッサ１１２０は、データ・ストリームのシンボル、およびシンボルが送信されているアンテナにビームフォーミングの重みを適用する。
【００７５】
[0074]    各送信機１１２２は、１つ以上のアナログ信号を提供するために、それぞれのシンボル・ストリームを受信および処理し、さらに、ＭＩＭＯチャネルを介して送信に適切な変調信号を提供するために、アナログ信号を調整（例えば、増幅、フィルタ、およびアップコンバート）する。さらに、送信機１１２２ａないし１１２２ｔからのＮＴ変調信号は、ＮＴアンテナ１１２４ａないし１１２４ｔからそれぞれ送信される。
【００７６】
[0075]    モバイル・デバイス１１５０において、送信された変調信号は、ＮＲ個のアンテナ１１５２ａないし１５５２ｒにより受信され、各アンテナ１５５２から受信された信号は、それぞれの受信機（ＲＣＶＲ）１１５４ａないし１１５４ｒに提供される。各受信機１１５４は、それぞれの信号を調整（例えば、フィルタ、増幅、およびダウンコンバート）し、サンプルを提供するために調整された信号をデジタル化し、さらに対応する「受信された」シンボル・ストリームを提供するために、サンプルを処理する。
【００７７】
[0076]    ＲＸデータ・プロセッサ１１６０は、ＮＴ個の「検出された」シンボル・ストリームを提供するために、特定の受信機処理技術に基づいて、ＮＲ個の受信機１１５４からＮＲ個の受信シンボル・ストリームを受信および処理することができる。ＲＸデータ・プロセッサ１１６０は、データ・ストリームに対してトラフィック・データを復元するために、各検出されたシンボル・ストリームを復調し、デインターリーブし、デコードすることができる。ＲＸデータ・プロセッサ１１６０による処理は、基地局１１１０におけるＴＸ ＭＩＭＯプロセッサ１１２０およびＴＸデータ・プロセッサ１１１４により実行されるものと相補的である。
【００７８】
[0077]    プロセッサ１１７０は、上述されているように、どのプリコーディング・マトリックスを利用するかを周期的に決定することができる。さらに、プロセッサ１１７０は、マトリックス・インデックス部分とランク値部分（a matrix index portion and a rank value portion）を備える逆方向リンク・メッセージを構築することができる。
【００７９】
[0078]    逆方向リンク・メッセージは、通信リンクおよび／または受信されたデータ・ストリームに関する様々なタイプの情報を備えることができる。逆方向リンク・メッセージは、多くのデータ・ストリームに関するトラフィック・データをもデータ・ソース１１３６から受信するＴＸデータ・プロセッサ１１３８により処理され、変調器１１８０により変調され、送信機１１５４ａないし１１５４ｒにより調整され、基地局１１１０に返送され得る。
【００８０】
[0079]    基地局１１１０において、モバイル・デバイス１１５０からの変調信号は、アンテナ１１２４によって受信され、受信機１１２２によって調整され、復調器１１４０によって復調され、モバイル・デバイス１１５０によって送信された逆方向リンク・メッセージを抽出するために、ＲＸデータ・プロセッサ１１４２により処理される。さらに、プロセッサ１１３０は、ビームフォーミングの重みを決定するためにどのプリコーディング・マトリックスを使用するかを決定するために、抽出されたメッセージを処理することができる。
【００８１】
[0080]    プロセッサ１１３０および１１７０は、それぞれ基地局１１１０およびモバイル・デバイス１１５０における動作を指示（例えば、制御、調整、管理、等）することができる。それぞれのプロセッサ１１３０および１１７０は、プログラム・コードおよびデータを記憶するメモリ１１３２および１１７２に関連付けられることができる。プロセッサ１１３０および１１７０は、また、それぞれ、アップリンクおよびダウンリンクのための周波数およびインパルス応答推定を導出するための計算を実行することができる。
【００８２】
[0081]    本明細書に開示された実施形態に関連して説明されている様々な例示的な論理、論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ（ＦＰＧＡ）または他のプログラマブル・ロジック・デバイス、離散ゲートまたはトランジスタ・ロジック、離散ハードウェア・コンポーネント、または本明細書に説明されている機能を実行するために設計された、それらの任意の組合せで実現または実行され得る。汎用プロセッサは、マイクロプロセッサであり得るが、代わりに、プロセッサは、任意の従来のプロセッサ、コントローラ、マイクロコントローラ、またはステート・マシンであり得る。プロセッサはまた、例えば、ＤＳＰとマクロプロセッサの組み合わせ、複数のマイクロプロセッサ、ＤＳＰコアに連結した１つ以上のマイクロプロセッサ、または任意の他のそのような構成であるコンピューティング・デバイスの組み合わせとして実現され得る。さらに、少なくとも1つのプロセッサは、上述されているステップおよび／または動作のうちの１つ以上を実行するように動作可能な１つ以上のモジュールを備え得る。
【００８３】
[0082]    さらに、本明細書で開示された態様に関連して説明されている方法またはアルゴリズムのステップおよび／または動作は、直接ハードウェア、プロセッサによって実行されるソフトウェア・モジュール、または２つの組み合わせにおいて具体化され得る。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術で周知の任意の他の形態の記憶媒体内に存在し得る。例示的な記憶媒体は、プロセッサに結合されており、これによって、プロセッサは、記憶媒体から情報を読み取り、記憶媒体に情報を書き込むことができる。あるいは、記憶媒体はプロセッサに統合され得る。さらに、いくつかの態様において、プロセッサと記憶媒体はＡＳＩＣ内に存在し得る。さらに、ＡＳＩＣはユーザ端末内に存在し得る。あるいは、プロセッサと記憶媒体が、ユーザ端末における離散コンポーネントとして存在することができる。加えて、いくつかの態様において、方法またはアルゴリズムのステップおよび／または動作は、コンピュータ・プログラム製品の中に組み込まれ得る、機械可読媒体および／またはコンピュータ可読媒体上で、コードおよび／または命令の１つまたは任意の組み合わせ、または、セットとして存在し得る。
【００８４】
[0083]    １つ以上の態様において、説明されている機能は、ハードウェア、ソフトウェア、ファームウェア、またはそれらの任意の組み合わせで実現され得る。ソフトウェアにおいて実現される場合、機能は、１つ以上の命令またはコードとして、コンピュータ可読媒体に記憶され得る、または送信され得る。コンピュータ可読媒体は、コンピュータ記憶媒体、および１つの場所から別の場所へのコンピュータ・プログラムの転送を容易にする任意の媒体を含む通信媒体の両方を含む。記憶媒体は、コンピュータによってアクセスされることができる何らかの利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、または、コンピュータによってアクセスされることができて、命令またはデータ構造の形態で所望のプログラム・コードを伝送または記憶するために使用されることができる他の何らかの媒体を含むことができる。また、あらゆる接続は、コンピュータ可読媒体と呼ばれ得る。例えば、ソフトウェアが、ウェブサイト、サーバ、または同軸ケーブル、光ファイバケーブル、ツイスト・ペア、デジタル加入者線（ＤＳＬ）、または赤外線、無線、マイクロ波のようなワイヤレス技術を使用している他の遠隔ソースから送信された場合、同軸ケーブル、光ファイバケーブル、ツイスト・ペア、ＤＳＬ、または赤外線、無線、およびマイクロ波のような無線技術は、媒体の定義に含まれる。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は通常、レーザーを用いて光学的にデータを再生する。上記の組み合わせは、また、コンピュータ可読媒体の範囲内に含まれるべきである。
【００８５】
[0084]    先の開示は例示的な態様および／または実施形態について説明しているが、説明されている態様および／または、特許請求の範囲によって定義されたような実施形態の範囲から逸脱することなく、様々な変更および修正がここでなされうることが注目されるべきである。さらに、説明されている態様および／または実施形態の要素は、単数形で記載または主張され得るが、単数形に対する限定が明確に述べられていない限り、複数形が考慮される。それに加えて、それ以外であると述べられていない限り、任意の態様および／または実施形態のうちのすべてまたは一部は、任意の他の態様および／または実施形態のうちのすべてまたは一部とともに利用され得る。
なお、本願の出願当初の請求項と同一の記載を以下に付記する。
［Ｃ１］ ターゲットネットワークへのハンドオーバ中に、遠隔ネットワーク・ノードからダウンリンク（ＤＬ）非アクセス層（ＮＡＳ）カウントの一部を受信することと、
前記ＤＬ ＮＡＳカウントの前記一部、および、局所的に記憶されたＤＬ ＮＡＳカウントに少なくとも一部分基づいて、導出されたＤＬ ＮＡＳカウントを生成することと、
前記導出されたＤＬ ＮＡＳカウントに少なくとも一部分基づいて前記ターゲットネットワークのための１つ以上のセキュリティ・キーを生成することと
を備える、無線通信の方法。
［Ｃ２］ 前記導出されたＤＬ ＮＡＳカウントを前記生成することは、前記ＤＬ ＮＡＳカウントの前記一部と、前記局所的に記憶されたＤＬ ＮＡＳカウントの類似した一部との間のしきい値最大下差異に関連する少なくとも１つのパラメータに、さらに少なくとも一部分基づく、Ｃ１に記載の方法。
［Ｃ３］ 前記遠隔ネットワーク・ノードと通信することに関連する１つ以上の通信メトリックに少なくとも一部分基づいて前記少なくとも１つのパラメータを決定することをさらに備える、Ｃ２に記載の方法。
［Ｃ４］ 前記少なくとも１つのパラメータを前記決定することは、時間間隔にわたって前記遠隔ネットワーク・ノードから受信されたＮＡＳメッセージの数を決定することを備える、Ｃ３に記載の方法。
［Ｃ５］ ターゲットネットワークへのハンドオーバ中に、遠隔ネットワーク・ノードからダウンリンク（ＤＬ）非アクセス層（ＮＡＳ）カウントの一部を得る、
前記ＤＬ ＮＡＳカウントの前記一部、および、局所的に記憶されたＤＬ ＮＡＳカウントに少なくとも一部分基づいて、導出されたＤＬ ＮＡＳカウントを生成する、
前記導出されたＤＬ ＮＡＳカウントに少なくとも一部分基づいて前記ターゲットネットワークのための１つ以上のセキュリティ・キーを作成する
ように構成される少なくとも１つのプロセッサと、
前記少なくとも１つのプロセッサに結合されるメモリと
を備える、メッセージ・カウントを導出するための装置。
［Ｃ６］ 前記少なくとも１つのプロセッサは、前記ＤＬ ＮＡＳカウントの前記一部と、前記局所的に記憶されたＤＬ ＮＡＳカウントの類似した一部との間のしきい値最大下差異に関連するパラメータに、さらに少なくとも一部分基づいて前記導出されたＤＬ ＮＡＳカウントを生成する、Ｃ５に記載の装置。
［Ｃ７］ 前記少なくとも１つのプロセッサは、前記遠隔ネットワーク・ノードと通信することに関連する１つ以上の通信メトリックに少なくとも一部分基づいて前記パラメータを決定するようにさらに構成される、Ｃ６に記載の装置。
［Ｃ８］ 前記パラメータは、時間間隔にわたって前記遠隔ネットワーク・ノードから受信されたＮＡＳメッセージの数に関連する、Ｃ７に記載の装置。
［Ｃ９］ ターゲットネットワークへのハンドオーバ中に、遠隔ネットワーク・ノードからダウンリンク（ＤＬ）非アクセス層（ＮＡＳ）カウントの一部を受信するための手段と、
前記ＤＬ ＮＡＳカウントの前記一部、および、局所的に記憶されたＤＬ ＮＡＳカウントに少なくとも一部分基づいて、導出されたＤＬ ＮＡＳカウントを生成するための手段と、
前記導出されたＤＬ ＮＡＳカウントに少なくとも一部分基づいて前記ターゲットネットワークのための１つ以上のセキュリティ・キーを生成するための手段と
を備える、メッセージ・カウントを導出するための装置。
［Ｃ１０］ 前記生成するための手段は、前記ＤＬ ＮＡＳカウントの前記一部と、前記局所的に記憶されたＤＬ ＮＡＳカウントの類似した一部との間のしきい値最大下差異に関連するパラメータにさらに少なくとも一部分基づいて前記導出されたＤＬ ＮＡＳカウント生成する、Ｃ９に記載の装置。
［Ｃ１１］ 前記遠隔ネットワーク・ノードに関連する１つ以上の通信メトリックに少なくとも一部分基づいて前記パラメータを決定するための手段をさらに備える、Ｃ１０に記載の装置。
［Ｃ１２］ 前記決定するための手段は、時間間隔にわたって前記遠隔ネットワーク・ノードから受信されたＮＡＳメッセージの数を決定することに少なくとも一部分基づいて前記パラメータを決定する、Ｃ１１に記載の装置。
［Ｃ１３］ 少なくとも１つのコンピュータに、ターゲットネットワークへのハンドオーバ中に、遠隔ネットワーク・ノードからダウンリンク（ＤＬ）非アクセス層（ＮＡＳ）カウントの一部を得させるためのコードと、
前記少なくとも１つのコンピュータに、前記ＤＬ ＮＡＳカウントの前記一部、および、局所的に記憶されたＤＬ ＮＡＳカウントに少なくとも一部分基づいて、導出されたＤＬ ＮＡＳカウントを生成させるためのコードと、
前記少なくとも１つのコンピュータに、前記導出されたＤＬ ＮＡＳカウントに少なくとも一部分基づいて前記ターゲットネットワークのための１つ以上のセキュリティ・キーを作成させるためのコード
を備える、コンピュータ可読媒体
を備える、メッセージ・カウントを導出するためのコンピュータ・プログラム製品。
［Ｃ１４］ 前記少なくとも１つのコンピュータに生成させるための前記コードは、前記ＤＬ ＮＡＳカウントの前記一部と、前記局所的に記憶されたＤＬ ＮＡＳカウントの類似した一部との間のしきい値最大下差異に関連するパラメータにさらに少なくとも一部分基づいて前記導出されたＤＬ ＮＡＳカウントを生成する、Ｃ１３に記載のコンピュータ・プログラム製品。
［Ｃ１５］ 前記コンピュータ可読媒体は、前記少なくとも１つのコンピュータに、前記遠隔ネットワーク・ノードと通信することに関連する１つ以上の通信メトリックに少なくとも一部分基づいて前記パラメータを決定させるためのコードをさらに備える、Ｃ１４に記載のコンピュータ・プログラム製品。
［Ｃ１６］ 前記パラメータは、時間間隔にわたって前記遠隔ネットワーク・ノードから受信されたＮＡＳメッセージの数に関連する、Ｃ１５に記載のコンピュータ・プログラム製品。
［Ｃ１７］ ターゲットネットワークへのハンドオーバ中に、遠隔ネットワーク・ノードからＤＬ ＮＡＳカウントの一部を得るための、最下位ビット（ＬＳＢ）のダウンリンク（ＤＬ）非アクセス層（ＮＡＳ）カウント受信コンポーネントと、
前記ＤＬ ＮＡＳカウントの前記一部、および、局所的に記憶されたＤＬ ＮＡＳカウントに少なくとも一部分基づいて、導出されたＤＬ ＮＡＳカウントを生成するためのＤＬ ＮＡＳカウント導出コンポーネントと、
前記導出されたＤＬ ＮＡＳカウントに少なくとも一部分基づいて前記ターゲットネットワークのための１つ以上のセキュリティ・キーを作成するための、ユニバーサル・モバイル通信システム（ＵＭＴＳ）のセキュリティ・キー生成コンポーネントと
を備える、メッセージ・カウントを導出するための装置。
［Ｃ１８］ 前記ＤＬ ＮＡＳカウント導出コンポーネントは、前記ＤＬ ＮＡＳカウントの前記一部と、前記局所的に記憶されたＤＬ ＮＡＳカウントの類似した一部との間のしきい値最大下差異に関連するパラメータにさらに少なくとも一部分基づいて前記導出されたＤＬ ＮＡＳカウント生成する、Ｃ１７に記載の装置。
［Ｃ１９］ 前記遠隔ネットワーク・ノードに関連する１つ以上の通信メトリックに少なくとも一部分基づいて前記パラメータを決定するためのしきい値パラメータ決定コンポーネントをさらに備える、Ｃ１８に記載の装置。
［Ｃ２０］ 前記しきい値パラメータ決定コンポーネントは、時間間隔にわたって前記遠隔ネットワーク・ノードから受信されたＮＡＳメッセージの数を決定することに少なくとも一部分基づいて前記パラメータを決定する、Ｃ１９に記載の装置。
【図１】
0005729734.tif 000003
【図２】
0005729734.tif 000004
【図３】
0005729734.tif 000005
【図４】
0005729734.tif 000006
【図５】
0005729734.tif 000007
【図６】
0005729734.tif 000008
【図７】
0005729734.tif 000009
【図８】
0005729734.tif 000010
【図９】
0005729734.tif 000011
【図１０】
0005729734.tif 000012
【図１１】
0005729734.tif 000013